(57)【要約】【課題】  壁掛型の空気調和装置の室内ユニットにおいて、室内ユニットの形態によって受信器を室内ユニットの底面及びその近傍に配置せざるを得ない場合であっても、リモコンから発信される信号を確実に受信できるようにする。【解決手段】  壁掛型の室内ユニット１は、前面に室内空気の第１吸入口２１を有するケーシング２と、ケーシング２の下部に設けられておりリモコンから発信される信号を受信する受信素子９４とを備えている。受信素子９４に対向するケーシング２の面である第１ケーシング面２４は、壁面にケーシング２が装着された状態における水平面Ｏに対して、３０°以下の角度αをなすように上方に向かって傾斜している。受信素子９４は、受信素子９４の中心線Ｄが、第１ケーシング面２４に直交する直交面Ｊに傾斜し、かつ、斜め下方に向くように配置されている。【選択図】      図１０
2006132872.tif 000002
【特許請求の範囲】
【請求項１】
壁掛型の空気調和装置の室内ユニットであって、
室内の壁面に装着されており、前面に室内空気の吸入口（２１）を有するケーシング（２）と、
前記ケーシングの下部に設けられ、リモコンから発信される信号を受信する受信器（９４）とを備え、
前記受信器に対向する前記ケーシングの面である第１面（２４、８１）は、前記壁面に前記ケーシングが装着された状態における水平面（Ｏ）に対して、３０°以下の角度をなすように上方に向かって傾斜しており、
前記受信器は、前記受信器の中心線（Ｄ）が、前記第１面に直交する面（Ｊ）に傾斜し、かつ、斜め下方に向くように配置されている、
空気調和装置の室内ユニット（１）。
【請求項２】
前記ケーシング（２）の前面を一側端から他側端まで覆うように設けられ、運転時に前記ケーシングの前方に移動して前記吸入口（２１）を開く前面パネル（６）をさらに備えている、請求項１に記載の空気調和装置の室内ユニット（１）。
【請求項３】
前記受信器（９４）の近傍に配置され、運転状態を表示する表示器（９１、９２、９３）をさらに備えており、
前記受信器は、前記表示器の後方に配置されている、
請求項２に記載の空気調和装置の室内ユニット（１）。
【請求項４】
前記受信器（９４）は、第１基板（１０１）に実装されており、
前記表示器（９１、９２、９３）は、前記第１基板とは別の第２基板（１０２）に実装されている、
請求項３に記載の空気調和装置の室内ユニット（１）。
【請求項５】
前記第１基板（１０１）は、前記第２基板（１０２）に対して傾斜して配置されている、請求項４に記載の空気調和装置の室内ユニット（１）。
【請求項６】
前記第２基板（１０２）には、運転操作を行うための操作器（９５）がさらに実装されている、請求項４又は５に記載の空気調和装置の室内ユニット（１）。
【請求項７】
前記前面パネル（６）は、その下端が前記表示器（９１、９２、９３）の近傍まで延びており、
前記受信器（９４）は、その下端が前記前面パネルの下端よりも後方に配置されている、
請求項３〜６のいずれかに記載の空気調和装置の室内ユニット（１）。
【発明の詳細な説明】
【技術分野】
【０００１】
本発明は、空気調和装置の室内ユニット、特に、壁掛型の空気調和装置の室内ユニットに関する。
【背景技術】
【０００２】
セパレート型の空気調和装置を構成する室内ユニットの一つとして、室内の壁面の上部に装着される壁掛型の室内ユニットがある。この壁掛型の室内ユニットには、リモコンによって運転操作を行うことができるように、リモコンから発信される信号を受信するための赤外線式の受信素子等からなる受信器が設けられている。受信器は、室内の居住者が室内ユニットの前面の斜め下側の位置からリモコンを用いて操作することを考慮して、そのリモコンによる操作の際の受信距離を確保することができるように、通常、室内ユニットの前方を向くように設けられている。
【０００３】
ところで、特許文献１に示されるように、ケーシングの前面に設けられた吸入口を開閉することが可能な前面パネルを備えた構造を有する壁掛型の室内ユニットも提案されている。
【特許文献１】特開平７−９８１２９号公報
【発明の開示】
【発明が解決しようとする課題】
【０００４】
上記の特許文献１に示される壁掛型の室内ユニットのように、開閉可能な前面パネルを備えた構造を採用すると、受信器をケーシングの下部に配置することが必須となる。しかも、前面パネルのサイズによっては、受信器をケーシングの底面及びその近傍に配置せざるを得なくなる場合もあり得る。
このような開閉可能な前面パネルを備えた構造を採用する場合や室内ユニットの形状又は他の機器配置の制約等の室内ユニットの形態によって、受信器をケーシングの底面及びその近傍に配置せざるを得なくなる場合には、リモコンから発信される信号を確実に受信することはできないという問題が生じてしまう。
【０００５】
また、受信器の近傍には、運転状態を表示するためのＬＥＤ等からなる表示器やリモコンを紛失した場合等に運転を行うためのボタン等からなる操作器が配置されることが多く、これらの機器についてもケーシングの底面及びその近傍に配置せざるを得なくなり、配置スペースが限られてしまう。特に、表示器については、視認性を確保する必要があるため、ケーシングの底面及びその近傍に配置する上での制約が多い。
【０００６】
本発明の課題は、壁掛型の空気調和装置の室内ユニットにおいて、室内ユニットの形態によって受信器を室内ユニットの底面及びその近傍に配置せざるを得ない場合であっても、リモコンから発信される信号を確実に受信できるようにすることにある。
【課題を解決するための手段】
【０００７】
第１の発明にかかる空気調和装置の室内ユニットは、壁掛型の空気調和装置の室内ユニットであって、室内の壁面に装着されており前面に室内空気の吸入口を有するケーシングと、ケーシングの下部に設けられておりリモコンから発信される信号を受信する受信器とを備えている。そして、受信器に対向するケーシングの面である第１面は、壁面にケーシングが装着された状態における水平面に対して、３０°以下の角度をなすように上方に向かって傾斜している。受信器は、受信器の中心線が、第１面に直交する面に傾斜し、かつ、斜め下方に向くように配置されている。
【０００８】
この空気調和装置の室内ユニットでは、水平面に対して３０°以下の角度をなすように上方に向かって傾斜した第１面に対向して受信器が設けられており、受信器の中心線が第１面に直交する面に傾斜し、かつ、斜め下方に向くように配置されているため、受信器の中心線がケーシングの前方を向くようになる。これにより、室内ユニットの形態によって受信器を室内ユニットの底面及びその近傍に配置せざるを得ない場合であっても、リモコンから発信される信号を確実に受信できる。
【０００９】
第２の発明にかかる空気調和装置の室内ユニットは、第１の発明にかかる空気調和装置の室内ユニットにおいて、ケーシングの前面を一側端から他側端まで覆うように設けられ、運転時にケーシングの前方に移動して吸入口を開く前面パネルをさらに備えている。
この空気調和装置の室内ユニットでは、ケーシングの前面を一側端から他側端まで覆うように前面パネルが設けられているため、受信器をケーシングの下部に配置することが必須となり、さらに、受信器を室内ユニットの底面及びその近傍の水平面に対して３０°以下の角度をなすように上方に向かって傾斜した第１面に対向して受信器が設けざるを得ない場合がある。しかし、この空気調和装置の室内ユニットでは、水平面に対して３０°以下の角度をなすように上方に向かって傾斜した第１面に対向して受信器が設けられる場合であっても、受信器の中心線が第１面に直交する面に傾斜し、かつ、斜め下方に向くように配置されているため、受信器の中心線がケーシングの前方を向くようになり、リモコンから発信される信号を確実に受信できる。
【００１０】
第３の発明にかかる空気調和装置の室内ユニットは、第２の発明にかかる空気調和装置の室内ユニットにおいて、受信器の近傍に配置され、運転状態を表示する表示器をさらに備えている。受信器は、表示器の後方に配置されている。
この空気調和装置の室内ユニットでは、受信器を表示器の後方に配置することによって、すなわち、表示器を受信器の前方に配置することによって、表示器の視認性を確保しつつ、受信器の中心線がケーシングの前方を向くようにすることができる。
【００１１】
第４の発明にかかる空気調和装置の室内ユニットは、第３の発明にかかる空気調和装置の室内ユニットにおいて、受信器は、第１基板に実装されている。表示器は、第１基板とは別の第２基板に実装されている。
この空気調和装置の室内ユニットでは、受信器と表示器とがそれぞれ別の基板に実装されており各基板の設置の自由度が増すことになるため、受信器の中心線が第１面に直交する面に傾斜し、かつ、斜め下方に向くように受信器を配置することが容易になる。
【００１２】
第５の発明にかかる空気調和装置の室内ユニットは、第４の発明にかかる空気調和装置の室内ユニットにおいて、第１基板は、第２基板に対して傾斜して配置されている。
この空気調和装置の室内ユニットでは、第１基板を第２基板に対して傾斜させて配置しているため、受信器の形状を変えることなく、受信器の中心線が第１面に直交する面に傾斜し、かつ、斜め下方に向くように配置することができる。
【００１３】
第６の発明にかかる空気調和装置の室内ユニットは、第５の発明にかかる空気調和装置の室内ユニットにおいて、第２基板には、運転操作を行うための操作器がさらに実装されている。
この空気調和装置の室内ユニットでは、操作器が表示器と同じ基板に実装されているため、操作器及び表示器の配置スペースを小さくすることができる。
【００１４】
第７の発明にかかる空気調和装置の室内ユニットは、第３〜６の発明のいずれかにかかる空気調和装置の室内ユニットにおいて、前面パネルは、その下端が表示器の近傍まで延びている。受信器は、その下端が前面パネルの下端よりも後方に配置されている。
この空気調和装置の室内ユニットでは、前面パネルの下端と受信器の下端との間の前後距離を大きくすることができるため、リモコンから発信される信号を確実に受信することができる。
【発明の効果】
【００１５】
以上の説明に述べたように、本発明によれば、以下の効果が得られる。
第１の発明では、水平面に対して３０°以下の角度をなすように上方に向かって傾斜した第１面に対向して受信器が設けられており、受信器の中心線が第１面に直交する面に傾斜し、かつ、斜め下方に向くように配置されているため、受信器の中心線がケーシングの前方を向くようになり、リモコンから発信される信号を確実に受信できる。。
【００１６】
第２の発明では、ケーシングの前面を一側端から他側端まで覆うように前面パネルが設けられており、受信器を室内ユニットの底面及びその近傍の水平面に対して３０°以下の角度をなすように上方に向かって傾斜した第１面に対向して受信器が設けざるを得ない場合であっても、受信器の中心線がケーシングの前方を向くようになり、リモコンから発信される信号を確実に受信できる。
【００１７】
第３の発明では、受信器を表示器の後方に配置することによって、すなわち、表示器を受信器の前方に配置することによって、表示器の視認性を確保しつつ、受信器の中心線がケーシングの前方を向くようにすることができる。
第４の発明では、受信器と表示器とがそれぞれ別の基板に実装されており各基板の設置の自由度が増すことになるため、受信器の中心線が第１面に直交する面に傾斜し、かつ、斜め下方に向くように受信器を配置することが容易になる。
【００１８】
第５の発明では、第１基板を第２基板に対して傾斜させて配置しているため、受信器の形状を変えることなく、受信器の中心線が第１面に直交する面に傾斜し、かつ、斜め下方に向くように配置することができる。
第６の発明では、操作器が表示器と同じ基板に実装されているため、操作器及び表示器の配置スペースを小さくすることができる。
【００１９】
第７の発明では、前面パネルの下端と受信器の下端との間の前後距離を大きくすることができるため、リモコンから発信される信号を確実に受信することができる。
【発明を実施するための最良の形態】
【００２０】
以下、図面に基づいて、本発明にかかる空気調和装置の室内ユニットの実施形態について説明する。
（１）空気調和装置の室内ユニットの構成
本発明の一実施形態にかかる空気調和装置の室内ユニット１の外観を、図１、図２及び図３に示す。尚、以下の説明において、室内ユニット１に関する方向や位置を示す場合には、室内ユニット１が室内の壁面に装着された状態を基準として示すものとする。そして、室内ユニット１の壁面に装着される部分を室内ユニット１（すなわち、ケーシング２）の背面とし、背面に対向して室内に突出する面を前面（又は正面）とし、前面及び背面の横側の面を側面（より具体的には、正面から見て右側の面を右側面、正面から見て左側の面を左側面）とし、前面及び背面の上側の面を天面とし、前面及び背面の下側の面を底面とする。また、室内ユニット１の水平面とは、室内の壁面が鉛直面である場合に、壁面に直交する面のことをいう。ここで、図１は室内ユニット１を右斜め下側から見た外観斜視図であり、図２は室内ユニット１を左斜め上側から見た外観斜視図であり、図３は室内ユニット１の右側面図である。
【００２１】
この空気調和装置の室内ユニット１は、室内の壁面の上部に装着される壁掛型の室内ユニットであり、室内の冷暖房等を行う機能を有している。室内ユニット１は、主として、ケーシング２と、送風ファン３（図４参照）と、室内熱交換器４（図４参照）と、水平フラップ５と、前面パネル６と、移動機構７（図６参照）と、本体表示部８とを備えている。
【００２２】
＜ケーシング＞
ケーシング２は、正面視において水平方向に長い直方体形状を有しており、図４に示されるように、主として、送風ファン３と、室内熱交換器４と、本体表示部８の構成部品（図１０参照）とを収容している。ケーシング２の前面には、前面パネル６が設けられている。前面パネル６については、後に詳細に説明する。ケーシング２には、第１吸入口２１と、第２吸入口２２と、吹出口２３とが設けられている。ここで、図４は、室内ユニット１の水平方向中央付近の内部構造を示す側面断面図である。
【００２３】
吹出口２３は、ケーシング２内から室内へと吹き出される空気が通る開口であり、第１ケーシング面２４に設けられている。第１ケーシング面２４は、室内機ケーシング２の底面の前側部分を構成している。この第１ケーシング面２４は、その前端が下端よりも上方に位置するように、すなわち、壁面にケーシング２が装着された状態における水平面に対して上方に向かって傾斜している。そして、吹出口２３は、図５に示されるように、第１ケーシング面２４の水平方向両端部分を除く部分に設けられている。また、吹出口２３には、水平フラップ５が設けられている。ここで、図５は、前面パネル６を取り外した状態における室内ユニット１の正面図である。
【００２４】
第１吸入口２１は、室内からケーシング２内へと取り込まれる空気が通る開口であり、第２ケーシング面２５に設けられている。第２ケーシング面２５は、ケーシング２の前面を構成しており、第１吸入口２１は、ケーシング２の前面に設けられている。第２ケーシング面２５は、上下方向に伸びる略平坦な形状となっているが、上端が下端に比べてわずかに前方に位置するように傾斜している。第２ケーシング面２５の下端は、第１ケーシング面２４の上端と連続しており、第２ケーシング面２５は、第１ケーシング面２４に対して所定角度をなしている。すなわち、第１ケーシング面２４と第２ケーシング面２５とは、屈曲した形状となっており、９０°以上１８０°未満の比較的緩やかな角度をなしている。そして、第１吸入口２１は、吹出口２３と同様に、第２ケーシング面２５の水平方向両端部分を除く部分に設けられている。
【００２５】
第２吸入口２２は、室内からケーシング２内へと取り込まれる空気が通る開口であり、第３ケーシング面２６に設けられている。第３ケーシング面２６は、ケーシング２の天面を構成しており、格子状の吸入グリルが設けられている。
＜送風ファン＞
送風ファン３は、水平方向に細長い円筒形状に構成され、中心軸が水平方向に平行になるように配置されたクロスフローファンである。送風ファン３の周面には、複数の翼が設けられている。送風ファン３は、図示しないファンモータによって中心軸周りに回転駆動され、室内の空気を第１吸入口２１及び第２吸入口２２を通じてケーシング２内に取り込み、室内熱交換器４を通過させた後に、吹出口２３からケーシング２内から室内へ吹き出す空気の流れを生じさせる。送風ファン３は、側面視において室内ユニット１の概ね中央に配置されている。
【００２６】
＜水平フラップ＞
水平フラップ５は、吹出口２３を開閉自在に設けられ、吹出口２３から室内へ吹き出される空気を案内する。水平フラップ５は、ケーシング２の水平方向に細長い板形状を有しており、ケーシング２の水平方向に平行な軸を中心に回動自在に吹出口２３に設けられている。水平フラップ５は、図示しないフラップモータによって回転駆動される。水平フラップ５は、吹出口２３よりもわずかに小さい形状を有するが、図５に示されるように、吹出口２３を閉じる水平フラップ５の上端とケーシング２との間には、隙間Ｇが設けられている。この隙間Ｇが設けられることによって、水平フラップ５は、吹出口２３において制限少なく回動可能となっている。
【００２７】
＜前面パネル＞
前面パネル６は、ケーシング２の前面に設けられており、ケーシング２の前方に移動して第１吸入口２１を開き、ケーシング２に近接するように移動して第１吸入口２１を閉じる（以下、閉状態とする）ことにより、第１吸入口２１を開閉する。また、前面パネル６は、閉状態において、ケーシング２の前面を一側端から他側端（すなわち、左端から右端）までを覆うように設けられている。より具体的には、前面パネル６は、第２ケーシング面２５の上端部分を除く左端から右端までを覆い、第１ケーシング面２４の上端部分を左端から右端までを覆っている。すなわち、前面パネル６は、ケーシング２の第１吸入口２１及び吹出口２３の水平方向両端部分よりも側方に向かって延びている。また、水平フラップ５は、前面パネル６によって、隙間Ｇとともにその上端部分が覆われている。前面パネル６は、ケーシング２の第１ケーシング面２４及び第２ケーシング面２５の形状に沿うように屈曲した形状を有しており、第１パネル部６１と、第２パネル部６２とを有している。
【００２８】
第１パネル部６１は、第１ケーシング面２４に沿う形状を有しており、前面パネル６の閉状態において、水平フラップ５の上端を覆う部分である。すなわち、第１パネル部６１は、前面パネル６の下部を構成している。
第２パネル部６２は、第２ケーシング面２５に沿う形状を有しており、前面パネル６の閉状態において、第１吸入口２１を覆う部分である。すなわち、第２パネル部６２は、前面パネル６の上部を構成している。
【００２９】
尚、前面パネル６は、その両側端が第１支持部材７１によって支持されている（図９参照）。２つの第１支持部材７１は、ケーシング２の両側端に設けられており、前後方向に移動可能に設けられている。そして、第１支持部材７１によって、前面パネル６が前後方向に移動し、第１吸入口２１の開閉を行うことができるようになっている。
＜移動機構＞
移動機構７は、図６及び図７に示されるように、第１吸入口２１が所望の開度で開かれるように前面パネル６を移動させる機構である。移動機構７は、前面パネル６が第１吸入口２１を閉じた閉状態（図７（ａ）の状態）と、前面パネル６が閉状態から前方へと移動して第１吸入口２１を開いた状態（図７（ｂ）の状態、以下、第１開状態とする）と、前面パネル６が第１開状態からさらに前方へと移動して第１吸入口２１をさらに大きく開いた状態（図７（ｃ）の状態、以下、第２開状態とする）とに前面パネル６を移動させる。前面パネル６が閉状態から第１開状態へと移行する場合には、前面パネル６は第１ケーシング面２４に沿って前方に移動し、前面パネル６が第１開状態から第２開状態へと移行する場合には、前面パネル６はその上端部が前方に開くように回転移動する。前面パネル６が第１開状態であるとき、第１吸入口２１は第１開度で開かれる。また、前面パネル６が第２開状態であるとき、第１吸入口２１は第１開度よりも大きい最大開度である第２開度で開かれる。移動機構７は、主として、第１支持部材７１と、第２支持部材７２と、パネル駆動モーター（図示せず）とを有している。ここで、図６は移動機構７の構造を示す図であり、図７は移動機構７の開閉動作の状態を示す図である。
【００３０】
第１支持部材７１は、前面パネル６の左側端と右側端とを支持する板状の部材であり、略鉛直方向及び前方に延びる板状の部材である。第１支持部材７１の上端縁は、その前側部分が後側部分に向かうにつれて下方に傾斜しており、後述する第２ピニオンギヤ７９に螺合するラックギヤ７４が第１支持部材７１の上端縁に沿って設けられている。また、第１支持部材７１の上下方向中央部分には、第１スリット部７５と、第２スリット部７６と、第３スリット部７７とが設けられている。スリット部７５、７６、７７は、それぞれが第１支持部材７１の両面に貫通する長孔であり、第１支持部材７１と同様に前側部分が後側部分に向かうにつれて下方に傾斜している。本実施形態において、スリット部７５は、第１パネル部６１に沿うように、すなわち、第１ケーシング面２４に沿うように傾斜している。第１スリット部７５は、後下方から前上方へ直線状に延びる直線部７５ａと、直線部７５ａの後端に連続し下方にわずかに凹んで湾曲した湾曲部７５ｂとを有している。第２スリット部７６及び第３スリット部７７は、第１スリット部７５と同様に、直線部及び湾曲部を有している。尚、第２スリット部７６は第１スリット部７５の下方に位置し、第３スリット部７７は第２スリット部７６の下方に位置している。また、第１スリット部７５、第２スリット部７６及び第３スリット部７７は、互いに平行に配置されている。
【００３１】
第２支持部材７２は、第１支持部材７１をケーシング２の前後方向に直線移動可能にかつケーシング２の前後方向に回転移動可能に支持する部材であり、ケーシング２の右側面の内側と左側面の内側にそれぞれ取り付けられている。第２支持部材７２は、互いに螺合する第１ピニオンギヤ７８と第２ピニオンギヤ７９とを有している。第１ピニオンギヤ７８は、図示しないパネル駆動モーターによって回転駆動され、この回転を第２ピニオンギヤ７９へと伝達する。第２ピニオンギヤ７９は、第１ピニオンギヤ７８から伝達された回転をラックギヤ７４に伝達する。また、第２支持部材７２の中央部付近には、第１支持爪７２ａと第２支持爪７２ｂとが設けられている。第１支持爪７２ａは、第２支持部材７２の表面から側方に突出する円筒形状を有しており、第１支持部材７１の第１スリット部７５に挿入される。第１支持爪７２ａは、第１スリット部７５に係止して第１支持部材７１を支持する。第２支持爪７２ｂも、第１支持爪７２ａと同様に第２支持部材７２の表面から突出する円筒形状を有しており、第１支持部材７１の第３スリット部７７に挿入される。第２支持爪７２ｂは、第３スリット部７７に係止して第１支持部材７１を支持する。第１支持爪７２ａ及び第２支持爪７２ｂは、前面パネル６が開閉動作を行う際に、第１スリット部７５及び第２スリット部７６に対して摺動し、前後に移動する前面パネル６を支持している。
【００３２】
（２）前面パネルの開閉動作
次に、前面パネル６の開閉動作について、図２、図７、図８及び図９を用いて説明する。ここで、図８は前面パネル６の開閉動作の状態を示す図であり、図９は第１開状態及び第２開状態における室内ユニット１を左斜め上側から見た外観斜視図である。
空気調和装置の室内ユニット１の運転停止時には、水平フラップ５によって吹出口２３が閉じられるとともに前面パネル６が閉状態となっている。閉状態では、図７（ａ）に示されるように、第１支持部材７１の第１スリット部７５の前端と第１支持爪７２ａとが近接し、第１支持部材７１の第３スリット部７７の前端と第２支持爪７２ｂとが近接しており、前面パネル６は、図８（ａ）に示すように、第１吸入口２１を覆うとともに水平フラップ５の上端を覆った状態になっている。この閉状態において、第１パネル部６１は、水平フラップ５の上端部、隙間Ｇ及び吹出口２３の上部を含む第１ケーシング面２４の上部を覆っている。また、第２パネル部６２は、第２ケーシング面２５を覆っている。前面パネル６は、閉状態において、第１ケーシング面２４及び第２ケーシング面２５に沿って、第１ケーシング面２４及び第２ケーシング面２５に近接した状態となっている。これにより、室内ユニット１の運転停止時には、水平フラップ５の上端から第１吸入口２１までの部分が外部から隠蔽されている。
【００３３】
前面パネル６が閉状態から第１開状態へ移行する場合、第１支持部材７１は、図７（ｂ）に示すように、第１スリット部７５の直線部７５ａの後端が第１支持爪７２ａに近接し、第３スリット部７７の直線部７７ａの後端が第２支持爪７２ｂに近接する方向に移動する。このとき、第１スリット部７５の直線部７５ａは第１支持爪７２ａに対して摺動し、第３スリット部７７の直線部７７ａは第２支持爪７２ｂに対して摺動する。これにより、第１支持部材７１は、斜め前上方に移動し、前面パネル６は、図８（ｂ）に示すように、第１ケーシング面２４に沿って斜め前上方へと平行移動する（図８の矢印Ａ参照）。このとき、第１パネル部６１が第１ケーシング面２４に沿って斜め前上方へと移動するとともに第２パネル部６２が第２ケーシング面２５から離れるように斜め前上方へと移動するため、前面パネル６は吹出口２３及び第１吸入口２１を開くことになる。そして、第１パネル部６１は、下端が吹出口２３の上端を越える位置まで移動して第１パネル部６１が吹出口２３からの空気の吹き出しを妨げないようにするとともに、第１パネル部６１が第２パネル部６２と第２ケーシング面２５との間の下部を塞ぐ。そして、吹出口２３を閉じていた水平フラップ５が回動することによって、吹出口２３が開かれる。また、この状態においては、図９に示されるように、第２パネル部６２と第２ケーシング面２５との間の上部が開かれており、第１吸入口２１からケーシング２内に取り込まれる空気が通過することができるようになる（図９の実線で示された前面パネル６を参照）。尚、第１開状態においては、第２パネル部６２と第２ケーシング面２５との間の両側部は第１支持部材７１によって塞がれており、この第１支持部材７１が目隠し板となって外部から第１吸入口２１を通してケーシング２の内部が見えないようになっている。
【００３４】
さらに、前面パネル６が第１開状態から第２開状態へと移行する場合、第１支持部材７１は、図７（ｃ）に示すように、第１スリット部７５の湾曲部７５ｂが第１支持爪７２ａに係止され、第３スリット部７７の湾曲部７７ｂが第２支持爪７２ｂに係止されるように移動する。これにより、第１支持部材７１は回転移動し、前面パネル６は、図８（ｂ）に示されるように、上端が前方へ倒れるように回転移動する（矢印Ｂ参照）。このとき、第１パネル部６１の下端は第１開状態における位置のままであり、前面パネル６が第１パネル部６１の下端を中心に回転することによって、第２パネル部６２の上端が前方へ向けて回転移動する。これにより、第２パネル部６２と第２ケーシング面２５との間の上部がさらに開かれ、第１吸入口２１がさらに開かれる（図９の二点鎖線で示された前面パネル６を参照）。
【００３５】
なお、前面パネル６が第２開状態から第１開状態へと移行する場合には、前面パネル６が上記とは逆に回転移動する。また、室内ユニット１の運転停止時には、水平フラップ５が回動して吹出口２３を閉じた後、前面パネル６が上記とは逆の動作を行って、水平フラップ５の上端から第１吸入口２１までの部分が再び外部から隠蔽される。
（３）本体表示部の構成
上記のように、本実施形態の空気調和装置の室内ユニット１では、運転停止時において、水平フラップ５の上端から第１吸入口２１までの部分が前面パネル６によって隠蔽される構造となっている。このため、水平フラップ５を回動可能にするための比較的大きな隙間Ｇが外部から見えにくくなっている。また、前面パネル６は、第１吸入口２１や吹出口２３がケーシング２の前面の水平方向両端部分を除いた部分のみに形成されているにもかかわらず、ケーシング２の前面を左端から右端まで覆うように設けられている。これにより、この室内ユニット１では、インテリア性が向上するなど美観が向上している。
【００３６】
しかし、本実施形態においては、この前面パネル６がケーシング２の前面の大部分を覆っているため、本体表示部８をケーシング２の底面及びその近傍に配置せざるを得なくなっている。具体的には、本体表示部８は、第１面としての第１ケーシング面２４に配置されている。本実施形態において、第１ケーシング面２４は、水平面Ｏに対する角度が３０°以下となるように前方に向かうにつれて上方に傾斜している。ここで、第１ケーシング面２４と水平面Ｏとがなす角度を角度αとすると、角度αは、第１ケーシング面２４が完全に平坦な面ではなく、わずかに湾曲した面であることを考慮して、第１ケーシング面２４の各部における接線面と水平面Ｏとがなす角度をいう。例えば、後述の受信素子９４の中心線Ｄと第１ケーシング面２４の外面とが交わる点Ｅにおける接線面を接線面Ｆとすると、この接線面Ｆと水平面Ｏとがなす角度が角度αに対応することになる。そして、第１ケーシング面２４の各部における角度αは、すべて３０°以下である。図１０においては、角度αは、２０°以下になっている。
【００３７】
次に、本実施形態の本体表示部８について、図１、図１０及び図１１を用いて説明する。ここで、図１０は本体表示部８を示す右側面図（基板支持部材１０３については左側面部１０３ｂのみを図示）であり、図１１は本体表示部８を図３の矢印Ｂ方向から見た図である。
本体表示部８は、本実施形態において、第１ケーシング面２４の吹出口２３の右横の位置に配置されている。本体表示部８は、主として、表示パネル８１を有している。
【００３８】
表示パネル８１は、その前端及び後端に複数の係止爪８１ａ、８１ｂを有する略四角形の板状部材であり、第１ケーシング面２４の吹出口２３の右横に形成された矩形状の開口に係止爪８１ａ、８１ｂによって装着されており、第１ケーシング面２４と一体をなしている。表示パネル８１は、その前後方向（すなわち、上下方向）の中央付近にＬＥＤ９１、９２、９３（後述）の表示を視認するための表示窓８２、８３、８４と、表示窓８２〜８４の後側に赤外線式の受信素子９４（後述）が受信する信号を透光させるための受信窓８５とを有している。そして、これらの窓８２〜８５には、透光性を有する樹脂部材が設けられている。また、表示窓８２に設けられる樹脂部材は、リモコンを紛失した場合等に運転を行うために用いられる運転／停止ボタン８６としても機能するようになっている。この運転／停止ボタン８６は、図１２に示されるように、表示窓８２内を表示パネル８１の板厚方向に移動可能に設けられており、ボタン本体８６ａと、舌部８６ｂと、突出部８６ｃとを有している。ボタン本体８６ａは、表示窓８２内に挿入された横長の略矩形状の部分であり、表示窓８２の内側と外側とにわずかに突出している。舌部８６ｂは、ボタン本体８６ａの表示窓８２の内側に突出した部分にボタン本体８６ａと一体に形成されており、表示パネル８１の内面に沿って前方に延びる板状の部分である。突出部８６ｃは、舌部８６ａの前端にケーシング２の内側に向かって延びる円柱状の部分である。また、前面パネル６の下端は、閉状態において表示パネル８１の表示窓８２〜８４を覆わない程度の位置まで延びており（図１０及び図１１において表示窓８２〜８４の近傍に二点鎖線で図示された前面パネル６の下端を参照）、第１及び第２開状態において表示パネル８１の前端をわずかに覆う程度の位置まで延びている（図１０及び図１１において表示パネル８１の前端近傍に二点鎖線で図示された前面パネル６の下端を参照）。ここで、図１２は、図１１のＣ−Ｃ断面図である。
【００３９】
表示パネル８１の内側には、第１基板１０１と、第２基板１０２とが第１ケーシング面２４の内面に対向するように設けられている。第１基板１０１及び第２基板１０２は、表示パネル８１の窓８２〜８５が設けられた部分に対応するように配置された基板支持部材１０３によって支持されている。
基板支持部材１０３は、ケーシング２によって支持されており、主として、表示パネル８１と第２基板１０２との間に配置される矩形状の下面部１０３ａと、下面部１０３ａの両側端から第１基板１０１及び第２基板１０２を側方から挟むように延びる左側面部１０３ｂ及び右側面部１０３ｃとを有している。下面部１０３ａには、表示窓８２〜８４に対応するように形成された貫通孔１０３ｄ、１０３ｅ、１０３ｆと、貫通孔１０３ｄの前方の位置に形成された弾性部１０３ｇとが設けられている。弾性部１０３ｇは、下面部１０３ａに設けられた一端が下面部１０３ａの板厚方向に弾性変形可能な帯状の部分である。弾性部１０３ｇの端部は、運転／停止ボタン８６の突出部８６ｃに対応するように配置されている。弾性部１０３ｇの端部には、突出部８６ｃの先端に当接する円柱状の第１突出部１０３ｈと、第１突出部１０３ｈが形成された面と反対側の面に形成された円柱状の第２突出部１０３ｉとが設けられている。左側面部１０３ｂ及び右側面部１０３ｃには、第１基板１０１を支持するための支持爪１０３ｊが形成されている。また、左側面部１０３ｂ及び右側面部１０３ｃには、第２基板１０２を支持するための支持爪１０３ｋが形成されている。
【００４０】
そして、第２基板１０２は、その基板面Ｈが、表示パネル８１（すなわち、第１ケーシング面２４）にほぼ平行になるように配置されている。一方、第１基板１０１は、その基板面Ｉが、表示パネル８１（すなわち、第１ケーシング面２４）よりも上方に傾斜するように配置されている。言い換えれば、第１ケーシング面２４に直交する面に対して前方に傾斜するように配置されている。すなわち、第１基板１０１は、第２基板１０２に対して角度βだけ前方に向かうにつれて上方に傾斜して配置されている。
【００４１】
第２基板１０２には、主として、室内ユニット１の運転状態を表示する表示器としてのＬＥＤ９１、９２、９３と、リモコンを紛失した場合等に運転を行うために用いられる運転／停止ボタン８６を通じて操作される操作器としてのスイッチ９５とが実装されている。ＬＥＤ９２、９３は、それぞれ、貫通孔１０３ｅ、１０３ｆに対応する位置に配置されており、その光を、直接的に表示窓８３、８４を通じて視認できるようになっている。ＬＥＤ９１は、貫通孔１０３ｄの側方に配置されており、貫通孔１０３ｄにおいて拡散された光を、間接的に表示窓８２（すなわち、運転／停止ボタン８６）を通じて視認できるようになっている。スイッチ９５は、主として、基板支持部材１０３の第２突出部１０３ｉが挿入される筒状部９５ａと、筒状部９５ａ内に設けられたスイッチ本体９５ｂとを有している。そして、運転／停止ボタン８６が押されると、基板支持部材１０３の第２突出部１０３ｉがスイッチ本体９５ｂに接触することとなり、リモコンを用いることなく室内ユニット１の運転／停止を行うことができる（図１２の二点鎖線で示された弾性部１０３ｇを参照）。
【００４２】
第１基板１０１には、主として、リモコンから発信される信号を受信する受信器としての赤外線式の受信素子９４が実装されている。この受信素子９４は、受信窓８５に対応する位置に配置されている。より具体的には、受信素子９４は、受信窓８５の後方の位置に配置されている。また、受信素子９４は、ＬＥＤ９１、９２、９３の後方に配置されている。さらに、受信素子９４は、その下端が、前面パネル６の下端よりも後方に配置されている。
【００４３】
そして、受信素子９４は、受信素子９４の中心線Ｄが、接線面Ｆ（すなわち、表示パネル８１の外面と交わる点である点Ｅにおける接線面）に直交する直交面Ｊに傾斜し、かつ、斜め下方に向くように配置されている。具体的には、中心線Ｄは、直交面Ｊに対して角度γだけ傾斜している。
（４）空気調和装置の室内ユニットの特徴
本実施形態の空気調和装置の室内ユニット１には、以下のような特徴がある。
【００４４】
（Ａ）
本実施形態の空気調和装置の室内ユニット１では、ケーシング２の前面を一側端から他側端まで覆うように配置され、運転時にケーシング２の前方に移動して第１吸入口２１を開く前面パネル６をさらに備えているため、受信器としての受信素子９４をケーシング２の下部に配置することが必須となり、しかも、水平面Ｏに対して３０°以下の角度αをなすように上方に向かって傾斜した第１面としての第１ケーシング面２４に対向して受信素子９４を設けざるを得なくなっている。
【００４５】
しかし、本実施形態の室内ユニット１では、受信素子９４の中心線Ｄが第１ケーシング面２４に直交する面である直交面Ｊに対して角度γだけ傾斜し、かつ、斜め下方に向くように配置されているため、受信素子９４の中心線Ｄがケーシング２の前方を向くようになる。これにより、受信素子９４を水平面Ｏに対する角度の小さい第１ケーシング面２４（すなわち、ケーシング２の底面及びその近傍）に配置せざるを得ない場合であっても、リモコンから発信される信号を受信素子９４において確実に受信することができるようになっている。
【００４６】
特に、本実施形態の室内ユニット１のように、ケーシング２の底面及びその近傍の面（すなわち、第１ケーシング面２４）が水平面Ｏに対して２０°以下の角度αである場合には、受信素子９４の受信距離が確保できないおそれが大きくなるため、有効である。
（Ｂ）
本実施形態の空気調和装置の室内ユニット１では、受信素子９４を表示器としてのＬＥＤ９１、９２、９３の後方に配置することによって、すなわち、ＬＥＤ９１、９２、９３及びその表示窓８２、８３、８４を受信素子９４の前方に配置することによって、ＬＥＤ９１、９２、９３の視認性を確保しつつ、受信素子９４の中心線Ｄがケーシング２の前方を向くようにすることができる。
【００４７】
特に、本実施形態の室内ユニット１では、前面パネル６は、その下端がＬＥＤ９１、９２、９３の近傍まで延びており、受信素子９４は、その下端が前面パネル６の下端よりも後方に配置されているため、前面パネル６の下端と受信素子９４の下端との間の前後距離を大きくできるようになっている。このため、受信素子９４をさらにケーシング２の前方に向ける（具体的には、第１基板１０１と第２基板１０２とがなす角度βを大きくする）ことができるようになり、リモコンから発信される信号を確実に受信することができる。
【００４８】
（Ｃ）
本実施形態の空気調和装置の室内ユニット１では、受信素子９４とＬＥＤ９１、９２、９３とがそれぞれ別の基板（具体的には、第１基板１０１と第２基板１０２）に実装されており各基板１０１、１０２の設置の自由度が増すことになるため、受信素子９４の中心線Ｄが第１ケーシング面２４に直交する直交面Ｊに傾斜し、かつ、斜め下方に向くように受信素子９４を配置することが容易になっている。
【００４９】
また、本実施形態の室内ユニット１では、第１基板１０１を第２基板１０２に対して角度βだけ傾斜させて配置しているため、受信素子９４の形状を変えることなく、受信素子９４の中心線Ｄが直交面Ｊに傾斜し、かつ、斜め下方に向くように配置することができるようになっている。
（Ｄ）
本実施形態の空気調和装置の室内ユニット１では、第２基板１０２に運転操作を行うための操作器としてのスイッチ９５がさらに実装されているため、スイッチ９５及びＬＥＤ９１、９２、９３の配置スペースを小さくすることができる。
【００５０】
特に、本実施形態の室内ユニット１では、ＬＥＤ９１の表示窓８２と、スイッチ９５のオンオフ操作を行うための運転／停止ボタン８６とが兼用（すなわち、一体化）されているため、さらに配置スペースを小さくすることができ、また、意匠性も向上している。
（５）他の実施形態
以上、本発明の実施形態について図面に基づいて説明したが、具体的な構成は、これらの実施形態に限られるものではなく、発明の要旨を逸脱しない範囲で変更可能である。
【産業上の利用可能性】
【００５１】
本発明を利用すれば、壁掛型の空気調和装置の室内ユニットにおいて、室内ユニットの形態によって受信器を室内ユニットの底面及びその近傍に配置せざるを得ない場合であっても、リモコンから発信される信号を確実に受信することができるようになる。
【図面の簡単な説明】
【００５２】
【図１】本発明の一実施形態にかかる空気調和装置の室内ユニットを右斜め下側から見た外観斜視図である。
【図２】本発明の一実施形態にかかる空気調和装置の室内ユニットを左斜め上側から見た外観斜視図である。
【図３】本発明の一実施形態にかかる空気調和装置の室内ユニットの右側面図である。
【図４】本発明の一実施形態にかかる空気調和装置の室内ユニットの水平方向中央付近の内部構造を示す側面断面図である。
【図５】前面パネルを取り外した状態における室内ユニットの正面図である。
【図６】移動機構の構造を示す図である。
【図７】移動機構の開閉動作の状態を示す図である。
【図８】前面パネルの開閉動作の状態を示す図である。
【図９】第１開状態及び第２開状態における室内ユニットを左斜め上側から見た外観斜視図である。
【図１０】本体表示部を示す右側面図（基板支持部材については左側面部のみを図示）である。
【図１１】本体表示部を図３の矢印Ｂ方向から見た図である。
【図１２】図１１のＣ−Ｃ断面図である。
【符号の説明】
【００５３】
１  室内ユニット
２  ケーシング
６  前面パネル
２１  第１吸入口
２４  第１ケーシング面（第１面）
８１  表示パネル（第１面）
９１、９２、９３  ＬＥＤ（表示器）
９４  受信素子（受信器）
９５  スイッチ（操作器）
１０１  第１基板
１０２  第２基板
【図１】
2006132872.tif 000003
【図２】
2006132872.tif 000004
【図３】
2006132872.tif 000005
【図４】
2006132872.tif 000006
【図５】
2006132872.tif 000007
【図６】
2006132872.tif 000008
【図７】
2006132872.tif 000009
【図８】
2006132872.tif 000010
【図９】
2006132872.tif 000011
【図１０】
2006132872.tif 000012
【図１１】
2006132872.tif 000013
【図１２】
2006132872.tif 000014
【手続補正書】
【提出日】平成17年10月7日(2005.10.7)
【手続補正１】
【補正対象書類名】特許請求の範囲
【補正対象項目名】全文
【補正方法】変更
【補正の内容】
【特許請求の範囲】
【請求項１】
壁掛型の空気調和装置の室内ユニットであって、
室内の壁面に装着されており、前面に室内空気の吸入口（２１）を有するケーシング（２）と、
前記ケーシングの下部に設けられ、リモコンから発信される信号を受信する受信器（９４）とを備え、
前記受信器に対向する前記ケーシングの面である第１面（２４、８１）は、前記壁面に前記ケーシングが装着された状態における水平面（Ｏ）に対して、３０°以下の角度をなすように上方に向かって傾斜しており、
前記受信器は、前記受信器の中心線（Ｄ）が、前記第１面に直交する面（Ｊ）に傾斜し、かつ、斜め下方に向くように配置されている、
空気調和装置の室内ユニット（１）。
【請求項２】
前記ケーシング（２）の前面を一側端から他側端まで覆うように設けられ、運転時に前記ケーシングの前方に移動して前記吸入口（２１）を開く前面パネル（６）をさらに備えている、請求項１に記載の空気調和装置の室内ユニット（１）。
【請求項３】
前記受信器（９４）の近傍に配置され、運転状態を表示する表示器（９１、９２、９３）をさらに備えており、
前記受信器は、前記表示器の後方に配置されている、
請求項１又は２に記載の空気調和装置の室内ユニット（１）。
【請求項４】
前記受信器（９４）の近傍に配置され、運転状態を表示する表示器（９１、９２、９３）をさらに備えており、
前記受信器は、前記表示器の後方に配置されており、
前記前面パネル（６）は、その下端が前記表示器（９１、９２、９３）の近傍まで延びており、
前記受信器（９４）は、その下端が前記前面パネルの下端よりも後方に配置されている、
請求項２に記載の空気調和装置の室内ユニット（１）。
【請求項５】
前記受信器（９４）は、第１基板（１０１）に実装されており、
前記表示器（９１、９２、９３）は、前記第１基板とは別の第２基板（１０２）に実装されている、
請求項３又は４に記載の空気調和装置の室内ユニット（１）。
【請求項６】
前記第１基板（１０１）は、前記第２基板（１０２）に対して傾斜して配置されている、請求項５に記載の空気調和装置の室内ユニット（１）。
【請求項７】
前記第１基板（１０１）は、前記第２基板（１０２）に対して、前方に向かうにつれて上方を向くように傾斜している、請求項６に記載の空気調和装置の室内ユニット（１）。
【請求項８】
前記第１基板（１０１）の前端部は、前記第２基板（１０２）の後端部によりも前記第１面（２４、８１）から遠い位置に配置されている、請求項６又は７に記載の空気調和装置の室内ユニット（１）。
【請求項９】
前記第２基板（１０２）には、運転操作を行うための操作器（９５）がさらに実装されている、請求項５〜８のいずれかに記載の空気調和装置の室内ユニット（１）。
【手続補正２】
【補正対象書類名】明細書
【補正対象項目名】全文
【補正方法】変更
【補正の内容】
【発明の詳細な説明】
【技術分野】
【０００１】
本発明は、空気調和装置の室内ユニット、特に、壁掛型の空気調和装置の室内ユニットに関する。
【背景技術】
【０００２】
セパレート型の空気調和装置を構成する室内ユニットの一つとして、室内の壁面の上部に装着される壁掛型の室内ユニットがある。この壁掛型の室内ユニットには、リモコンによって運転操作を行うことができるように、リモコンから発信される信号を受信するための赤外線式の受信素子等からなる受信器が設けられている。受信器は、室内の居住者が室内ユニットの前面の斜め下側の位置からリモコンを用いて操作することを考慮して、そのリモコンによる操作の際の受信距離を確保することができるように、通常、室内ユニットの前方を向くように設けられている。
【０００３】
ところで、特許文献１に示されるように、ケーシングの前面に設けられた吸入口を開閉することが可能な前面パネルを備えた構造を有する壁掛型の室内ユニットも提案されている。
【特許文献１】特開平７−９８１２９号公報
【発明の開示】
【発明が解決しようとする課題】
【０００４】
上記の特許文献１に示される壁掛型の室内ユニットのように、開閉可能な前面パネルを備えた構造を採用すると、受信器をケーシングの下部に配置することが必須となる。しかも、前面パネルのサイズによっては、受信器をケーシングの底面及びその近傍に配置せざるを得なくなる場合もあり得る。
このような開閉可能な前面パネルを備えた構造を採用する場合や室内ユニットの形状又は他の機器配置の制約等の室内ユニットの形態によって、受信器をケーシングの底面及びその近傍に配置せざるを得なくなる場合には、リモコンから発信される信号を確実に受信することはできないという問題が生じてしまう。
【０００５】
また、受信器の近傍には、運転状態を表示するためのＬＥＤ等からなる表示器やリモコンを紛失した場合等に運転を行うためのボタン等からなる操作器が配置されることが多く、これらの機器についてもケーシングの底面及びその近傍に配置せざるを得なくなり、配置スペースが限られてしまう。特に、表示器については、視認性を確保する必要があるため、ケーシングの底面及びその近傍に配置する上での制約が多い。
【０００６】
本発明の課題は、壁掛型の空気調和装置の室内ユニットにおいて、室内ユニットの形態によって受信器を室内ユニットの底面及びその近傍に配置せざるを得ない場合であっても、リモコンから発信される信号を確実に受信できるようにすることにある。
【課題を解決するための手段】
【０００７】
第１の発明にかかる空気調和装置の室内ユニットは、壁掛型の空気調和装置の室内ユニットであって、室内の壁面に装着されており前面に室内空気の吸入口を有するケーシングと、ケーシングの下部に設けられておりリモコンから発信される信号を受信する受信器とを備えている。そして、受信器に対向するケーシングの面である第１面は、壁面にケーシングが装着された状態における水平面に対して、３０°以下の角度をなすように上方に向かって傾斜している。受信器は、受信器の中心線が、第１面に直交する面に傾斜し、かつ、斜め下方に向くように配置されている。
【０００８】
この空気調和装置の室内ユニットでは、水平面に対して３０°以下の角度をなすように上方に向かって傾斜した第１面に対向して受信器が設けられており、受信器の中心線が第１面に直交する面に傾斜し、かつ、斜め下方に向くように配置されているため、受信器の中心線がケーシングの前方を向くようになる。これにより、室内ユニットの形態によって受信器を室内ユニットの底面及びその近傍に配置せざるを得ない場合であっても、リモコンから発信される信号を確実に受信できる。
【０００９】
第２の発明にかかる空気調和装置の室内ユニットは、第１の発明にかかる空気調和装置の室内ユニットにおいて、ケーシングの前面を一側端から他側端まで覆うように設けられ、運転時にケーシングの前方に移動して吸入口を開く前面パネルをさらに備えている。
この空気調和装置の室内ユニットでは、ケーシングの前面を一側端から他側端まで覆うように前面パネルが設けられているため、受信器をケーシングの下部に配置することが必須となり、さらに、受信器を室内ユニットの底面及びその近傍の水平面に対して３０°以下の角度をなすように上方に向かって傾斜した第１面に対向して受信器が設けざるを得ない場合がある。しかし、この空気調和装置の室内ユニットでは、水平面に対して３０°以下の角度をなすように上方に向かって傾斜した第１面に対向して受信器が設けられる場合であっても、受信器の中心線が第１面に直交する面に傾斜し、かつ、斜め下方に向くように配置されているため、受信器の中心線がケーシングの前方を向くようになり、リモコンから発信される信号を確実に受信できる。
【００１０】
第３の発明にかかる空気調和装置の室内ユニットは、第１又は第２の発明にかかる空気調和装置の室内ユニットにおいて、受信器の近傍に配置され、運転状態を表示する表示器をさらに備えている。受信器は、表示器の後方に配置されている。
この空気調和装置の室内ユニットでは、受信器を表示器の後方に配置することによって、すなわち、表示器を受信器の前方に配置することによって、表示器の視認性を確保しつつ、受信器の中心線がケーシングの前方を向くようにすることができる。
【００１１】
第４の発明にかかる空気調和装置の室内ユニットは、第２にかかる空気調和装置の室内ユニットにおいて、受信器の近傍に配置され、運転状態を表示する表示器をさらに備えている。受信器は、表示器の後方に配置されている。前面パネルは、その下端が表示器の近傍まで延びている。受信器は、その下端が前面パネルの下端よりも後方に配置されている。
【００１２】
この空気調和装置の室内ユニットでは、受信器を表示器の後方に配置することによって、すなわち、表示器を受信器の前方に配置することによって、表示器の視認性を確保しつつ、受信器の中心線がケーシングの前方を向くようにすることができる。また、この空気調和装置の室内ユニットでは、前面パネルの下端と受信器の下端との間の前後距離を大きくすることができるため、リモコンから発信される信号を確実に受信することができる。
【００１３】
第５の発明にかかる空気調和装置の室内ユニットは、第３又は第４の発明にかかる空気調和装置の室内ユニットにおいて、受信器は、第１基板に実装されている。表示器は、第１基板とは別の第２基板に実装されている。
この空気調和装置の室内ユニットでは、受信器と表示器とがそれぞれ別の基板に実装されており各基板の設置の自由度が増すことになるため、受信器の中心線が第１面に直交する面に傾斜し、かつ、斜め下方に向くように受信器を配置することが容易になる。
【００１４】
第６の発明にかかる空気調和装置の室内ユニットは、第５の発明にかかる空気調和装置の室内ユニットにおいて、第１基板は、第２基板に対して傾斜して配置されている。
この空気調和装置の室内ユニットでは、第１基板を第２基板に対して傾斜させて配置しているため、受信器の形状を変えることなく、受信器の中心線が第１面に直交する面に傾斜し、かつ、斜め下方に向くように配置することができる。
【００１５】
第７の発明にかかる空気調和装置の室内ユニットは、第６の発明にかかる空気調和装置の室内ユニットにおいて、第１基板は、第２基板に対して、前方に向かうにつれて上方を向くように傾斜している。
第８の発明にかかる空気調和装置の室内ユニットは、第６又は第７の発明にかかる空気調和装置の室内ユニットにおいて、第１基板の前端部は、第２基板の後端部によりも第１面から遠い位置に配置されている。
【００１６】
第９の発明にかかる空気調和装置の室内ユニットは、第５〜第８の発明のいずれかにかかる空気調和装置の室内ユニットにおいて、第２基板には、運転操作を行うための操作器がさらに実装されている。
この空気調和装置の室内ユニットでは、操作器が表示器と同じ基板に実装されているため、操作器及び表示器の配置スペースを小さくすることができる。
【発明の効果】
【００１７】
以上の説明に述べたように、本発明によれば、以下の効果が得られる。
第１の発明では、水平面に対して３０°以下の角度をなすように上方に向かって傾斜した第１面に対向して受信器が設けられており、受信器の中心線が第１面に直交する面に傾斜し、かつ、斜め下方に向くように配置されているため、受信器の中心線がケーシングの前方を向くようになり、リモコンから発信される信号を確実に受信できる。。
【００１８】
第２の発明では、ケーシングの前面を一側端から他側端まで覆うように前面パネルが設けられており、受信器を室内ユニットの底面及びその近傍の水平面に対して３０°以下の角度をなすように上方に向かって傾斜した第１面に対向して受信器が設けざるを得ない場合であっても、受信器の中心線がケーシングの前方を向くようになり、リモコンから発信される信号を確実に受信できる。
【００１９】
第３の発明では、受信器を表示器の後方に配置することによって、すなわち、表示器を受信器の前方に配置することによって、表示器の視認性を確保しつつ、受信器の中心線がケーシングの前方を向くようにすることができる。
第４の発明では、前面パネルの下端と受信器の下端との間の前後距離を大きくすることができるため、リモコンから発信される信号を確実に受信することができる。
【００２０】
第５の発明では、受信器と表示器とがそれぞれ別の基板に実装されており各基板の設置の自由度が増すことになるため、受信器の中心線が第１面に直交する面に傾斜し、かつ、斜め下方に向くように受信器を配置することが容易になる。
第６〜第８の発明では、第１基板を第２基板に対して傾斜させて配置しているため、受信器の形状を変えることなく、受信器の中心線が第１面に直交する面に傾斜し、かつ、斜め下方に向くように配置することができる。
【００２１】
第９の発明では、操作器が表示器と同じ基板に実装されているため、操作器及び表示器の配置スペースを小さくすることができる。
【発明を実施するための最良の形態】
【００２２】
以下、図面に基づいて、本発明にかかる空気調和装置の室内ユニットの実施形態について説明する。
（１）空気調和装置の室内ユニットの構成
本発明の一実施形態にかかる空気調和装置の室内ユニット１の外観を、図１、図２及び図３に示す。尚、以下の説明において、室内ユニット１に関する方向や位置を示す場合には、室内ユニット１が室内の壁面に装着された状態を基準として示すものとする。そして、室内ユニット１の壁面に装着される部分を室内ユニット１（すなわち、ケーシング２）の背面とし、背面に対向して室内に突出する面を前面（又は正面）とし、前面及び背面の横側の面を側面（より具体的には、正面から見て右側の面を右側面、正面から見て左側の面を左側面）とし、前面及び背面の上側の面を天面とし、前面及び背面の下側の面を底面とする。また、室内ユニット１の水平面とは、室内の壁面が鉛直面である場合に、壁面に直交する面のことをいう。ここで、図１は室内ユニット１を右斜め下側から見た外観斜視図であり、図２は室内ユニット１を左斜め上側から見た外観斜視図であり、図３は室内ユニット１の右側面図である。
【００２３】
この空気調和装置の室内ユニット１は、室内の壁面の上部に装着される壁掛型の室内ユニットであり、室内の冷暖房等を行う機能を有している。室内ユニット１は、主として、ケーシング２と、送風ファン３（図４参照）と、室内熱交換器４（図４参照）と、水平フラップ５と、前面パネル６と、移動機構７（図６参照）と、本体表示部８とを備えている。
【００２４】
＜ケーシング＞
ケーシング２は、正面視において水平方向に長い直方体形状を有しており、図４に示されるように、主として、送風ファン３と、室内熱交換器４と、本体表示部８の構成部品（図１０参照）とを収容している。ケーシング２の前面には、前面パネル６が設けられている。前面パネル６については、後に詳細に説明する。ケーシング２には、第１吸入口２１と、第２吸入口２２と、吹出口２３とが設けられている。ここで、図４は、室内ユニット１の水平方向中央付近の内部構造を示す側面断面図である。
【００２５】
吹出口２３は、ケーシング２内から室内へと吹き出される空気が通る開口であり、第１ケーシング面２４に設けられている。第１ケーシング面２４は、室内機ケーシング２の底面の前側部分を構成している。この第１ケーシング面２４は、その前端が下端よりも上方に位置するように、すなわち、壁面にケーシング２が装着された状態における水平面に対して上方に向かって傾斜している。そして、吹出口２３は、図５に示されるように、第１ケーシング面２４の水平方向両端部分を除く部分に設けられている。また、吹出口２３には、水平フラップ５が設けられている。ここで、図５は、前面パネル６を取り外した状態における室内ユニット１の正面図である。
【００２６】
第１吸入口２１は、室内からケーシング２内へと取り込まれる空気が通る開口であり、第２ケーシング面２５に設けられている。第２ケーシング面２５は、ケーシング２の前面を構成しており、第１吸入口２１は、ケーシング２の前面に設けられている。第２ケーシング面２５は、上下方向に伸びる略平坦な形状となっているが、上端が下端に比べてわずかに前方に位置するように傾斜している。第２ケーシング面２５の下端は、第１ケーシング面２４の上端と連続しており、第２ケーシング面２５は、第１ケーシング面２４に対して所定角度をなしている。すなわち、第１ケーシング面２４と第２ケーシング面２５とは、屈曲した形状となっており、９０°以上１８０°未満の比較的緩やかな角度をなしている。そして、第１吸入口２１は、吹出口２３と同様に、第２ケーシング面２５の水平方向両端部分を除く部分に設けられている。
第２吸入口２２は、室内からケーシング２内へと取り込まれる空気が通る開口であり、第３ケーシング面２６に設けられている。第３ケーシング面２６は、ケーシング２の天面を構成しており、格子状の吸入グリルが設けられている。
【００２７】
＜送風ファン＞
送風ファン３は、水平方向に細長い円筒形状に構成され、中心軸が水平方向に平行になるように配置されたクロスフローファンである。送風ファン３の周面には、複数の翼が設けられている。送風ファン３は、図示しないファンモータによって中心軸周りに回転駆動され、室内の空気を第１吸入口２１及び第２吸入口２２を通じてケーシング２内に取り込み、室内熱交換器４を通過させた後に、吹出口２３からケーシング２内から室内へ吹き出す空気の流れを生じさせる。送風ファン３は、側面視において室内ユニット１の概ね中央に配置されている。
【００２８】
＜水平フラップ＞
水平フラップ５は、吹出口２３を開閉自在に設けられ、吹出口２３から室内へ吹き出される空気を案内する。水平フラップ５は、ケーシング２の水平方向に細長い板形状を有しており、ケーシング２の水平方向に平行な軸を中心に回動自在に吹出口２３に設けられている。水平フラップ５は、図示しないフラップモータによって回転駆動される。水平フラップ５は、吹出口２３よりもわずかに小さい形状を有するが、図５に示されるように、吹出口２３を閉じる水平フラップ５の上端とケーシング２との間には、隙間Ｇが設けられている。この隙間Ｇが設けられることによって、水平フラップ５は、吹出口２３において制限少なく回動可能となっている。
【００２９】
＜前面パネル＞
前面パネル６は、ケーシング２の前面に設けられており、ケーシング２の前方に移動して第１吸入口２１を開き、ケーシング２に近接するように移動して第１吸入口２１を閉じる（以下、閉状態とする）ことにより、第１吸入口２１を開閉する。また、前面パネル６は、閉状態において、ケーシング２の前面を一側端から他側端（すなわち、左端から右端）までを覆うように設けられている。より具体的には、前面パネル６は、第２ケーシング面２５の上端部分を除く左端から右端までを覆い、第１ケーシング面２４の上端部分を左端から右端までを覆っている。すなわち、前面パネル６は、ケーシング２の第１吸入口２１及び吹出口２３の水平方向両端部分よりも側方に向かって延びている。また、水平フラップ５は、前面パネル６によって、隙間Ｇとともにその上端部分が覆われている。前面パネル６は、ケーシング２の第１ケーシング面２４及び第２ケーシング面２５の形状に沿うように屈曲した形状を有しており、第１パネル部６１と、第２パネル部６２とを有している。
【００３０】
第１パネル部６１は、第１ケーシング面２４に沿う形状を有しており、前面パネル６の閉状態において、水平フラップ５の上端を覆う部分である。すなわち、第１パネル部６１は、前面パネル６の下部を構成している。
第２パネル部６２は、第２ケーシング面２５に沿う形状を有しており、前面パネル６の閉状態において、第１吸入口２１を覆う部分である。すなわち、第２パネル部６２は、前面パネル６の上部を構成している。
尚、前面パネル６は、その両側端が第１支持部材７１によって支持されている（図９参照）。２つの第１支持部材７１は、ケーシング２の両側端に設けられており、前後方向に移動可能に設けられている。そして、第１支持部材７１によって、前面パネル６が前後方向に移動し、第１吸入口２１の開閉を行うことができるようになっている。
【００３１】
＜移動機構＞
移動機構７は、図６及び図７に示されるように、第１吸入口２１が所望の開度で開かれるように前面パネル６を移動させる機構である。移動機構７は、前面パネル６が第１吸入口２１を閉じた閉状態（図７（ａ）の状態）と、前面パネル６が閉状態から前方へと移動して第１吸入口２１を開いた状態（図７（ｂ）の状態、以下、第１開状態とする）と、前面パネル６が第１開状態からさらに前方へと移動して第１吸入口２１をさらに大きく開いた状態（図７（ｃ）の状態、以下、第２開状態とする）とに前面パネル６を移動させる。前面パネル６が閉状態から第１開状態へと移行する場合には、前面パネル６は第１ケーシング面２４に沿って前方に移動し、前面パネル６が第１開状態から第２開状態へと移行する場合には、前面パネル６はその上端部が前方に開くように回転移動する。前面パネル６が第１開状態であるとき、第１吸入口２１は第１開度で開かれる。また、前面パネル６が第２開状態であるとき、第１吸入口２１は第１開度よりも大きい最大開度である第２開度で開かれる。移動機構７は、主として、第１支持部材７１と、第２支持部材７２と、パネル駆動モーター（図示せず）とを有している。ここで、図６は移動機構７の構造を示す図であり、図７は移動機構７の開閉動作の状態を示す図である。
【００３２】
第１支持部材７１は、前面パネル６の左側端と右側端とを支持する板状の部材であり、略鉛直方向及び前方に延びる板状の部材である。第１支持部材７１の上端縁は、その前側部分が後側部分に向かうにつれて下方に傾斜しており、後述する第２ピニオンギヤ７９に螺合するラックギヤ７４が第１支持部材７１の上端縁に沿って設けられている。また、第１支持部材７１の上下方向中央部分には、第１スリット部７５と、第２スリット部７６と、第３スリット部７７とが設けられている。スリット部７５、７６、７７は、それぞれが第１支持部材７１の両面に貫通する長孔であり、第１支持部材７１と同様に前側部分が後側部分に向かうにつれて下方に傾斜している。本実施形態において、スリット部７５は、第１パネル部６１に沿うように、すなわち、第１ケーシング面２４に沿うように傾斜している。第１スリット部７５は、後下方から前上方へ直線状に延びる直線部７５ａと、直線部７５ａの後端に連続し下方にわずかに凹んで湾曲した湾曲部７５ｂとを有している。第２スリット部７６及び第３スリット部７７は、第１スリット部７５と同様に、直線部及び湾曲部を有している。尚、第２スリット部７６は第１スリット部７５の下方に位置し、第３スリット部７７は第２スリット部７６の下方に位置している。また、第１スリット部７５、第２スリット部７６及び第３スリット部７７は、互いに平行に配置されている。
【００３３】
第２支持部材７２は、第１支持部材７１をケーシング２の前後方向に直線移動可能にかつケーシング２の前後方向に回転移動可能に支持する部材であり、ケーシング２の右側面の内側と左側面の内側にそれぞれ取り付けられている。第２支持部材７２は、互いに螺合する第１ピニオンギヤ７８と第２ピニオンギヤ７９とを有している。第１ピニオンギヤ７８は、図示しないパネル駆動モーターによって回転駆動され、この回転を第２ピニオンギヤ７９へと伝達する。第２ピニオンギヤ７９は、第１ピニオンギヤ７８から伝達された回転をラックギヤ７４に伝達する。また、第２支持部材７２の中央部付近には、第１支持爪７２ａと第２支持爪７２ｂとが設けられている。第１支持爪７２ａは、第２支持部材７２の表面から側方に突出する円筒形状を有しており、第１支持部材７１の第１スリット部７５に挿入される。第１支持爪７２ａは、第１スリット部７５に係止して第１支持部材７１を支持する。第２支持爪７２ｂも、第１支持爪７２ａと同様に第２支持部材７２の表面から突出する円筒形状を有しており、第１支持部材７１の第３スリット部７７に挿入される。第２支持爪７２ｂは、第３スリット部７７に係止して第１支持部材７１を支持する。第１支持爪７２ａ及び第２支持爪７２ｂは、前面パネル６が開閉動作を行う際に、第１スリット部７５及び第２スリット部７６に対して摺動し、前後に移動する前面パネル６を支持している。
【００３４】
（２）前面パネルの開閉動作
次に、前面パネル６の開閉動作について、図２、図７、図８及び図９を用いて説明する。ここで、図８は前面パネル６の開閉動作の状態を示す図であり、図９は第１開状態及び第２開状態における室内ユニット１を左斜め上側から見た外観斜視図である。
空気調和装置の室内ユニット１の運転停止時には、水平フラップ５によって吹出口２３が閉じられるとともに前面パネル６が閉状態となっている。閉状態では、図７（ａ）に示されるように、第１支持部材７１の第１スリット部７５の前端と第１支持爪７２ａとが近接し、第１支持部材７１の第３スリット部７７の前端と第２支持爪７２ｂとが近接しており、前面パネル６は、図８（ａ）に示すように、第１吸入口２１を覆うとともに水平フラップ５の上端を覆った状態になっている。この閉状態において、第１パネル部６１は、水平フラップ５の上端部、隙間Ｇ及び吹出口２３の上部を含む第１ケーシング面２４の上部を覆っている。また、第２パネル部６２は、第２ケーシング面２５を覆っている。前面パネル６は、閉状態において、第１ケーシング面２４及び第２ケーシング面２５に沿って、第１ケーシング面２４及び第２ケーシング面２５に近接した状態となっている。これにより、室内ユニット１の運転停止時には、水平フラップ５の上端から第１吸入口２１までの部分が外部から隠蔽されている。
【００３５】
前面パネル６が閉状態から第１開状態へ移行する場合、第１支持部材７１は、図７（ｂ）に示すように、第１スリット部７５の直線部７５ａの後端が第１支持爪７２ａに近接し、第３スリット部７７の直線部７７ａの後端が第２支持爪７２ｂに近接する方向に移動する。このとき、第１スリット部７５の直線部７５ａは第１支持爪７２ａに対して摺動し、第３スリット部７７の直線部７７ａは第２支持爪７２ｂに対して摺動する。これにより、第１支持部材７１は、斜め前上方に移動し、前面パネル６は、図８（ｂ）に示すように、第１ケーシング面２４に沿って斜め前上方へと平行移動する（図８の矢印Ａ参照）。このとき、第１パネル部６１が第１ケーシング面２４に沿って斜め前上方へと移動するとともに第２パネル部６２が第２ケーシング面２５から離れるように斜め前上方へと移動するため、前面パネル６は吹出口２３及び第１吸入口２１を開くことになる。そして、第１パネル部６１は、下端が吹出口２３の上端を越える位置まで移動して第１パネル部６１が吹出口２３からの空気の吹き出しを妨げないようにするとともに、第１パネル部６１が第２パネル部６２と第２ケーシング面２５との間の下部を塞ぐ。そして、吹出口２３を閉じていた水平フラップ５が回動することによって、吹出口２３が開かれる。また、この状態においては、図９に示されるように、第２パネル部６２と第２ケーシング面２５との間の上部が開かれており、第１吸入口２１からケーシング２内に取り込まれる空気が通過することができるようになる（図９の実線で示された前面パネル６を参照）。尚、第１開状態においては、第２パネル部６２と第２ケーシング面２５との間の両側部は第１支持部材７１によって塞がれており、この第１支持部材７１が目隠し板となって外部から第１吸入口２１を通してケーシング２の内部が見えないようになっている。
【００３６】
さらに、前面パネル６が第１開状態から第２開状態へと移行する場合、第１支持部材７１は、図７（ｃ）に示すように、第１スリット部７５の湾曲部７５ｂが第１支持爪７２ａに係止され、第３スリット部７７の湾曲部７７ｂが第２支持爪７２ｂに係止されるように移動する。これにより、第１支持部材７１は回転移動し、前面パネル６は、図８（ｂ）に示されるように、上端が前方へ倒れるように回転移動する（矢印Ｂ参照）。このとき、第１パネル部６１の下端は第１開状態における位置のままであり、前面パネル６が第１パネル部６１の下端を中心に回転することによって、第２パネル部６２の上端が前方へ向けて回転移動する。これにより、第２パネル部６２と第２ケーシング面２５との間の上部がさらに開かれ、第１吸入口２１がさらに開かれる（図９の二点鎖線で示された前面パネル６を参照）。
【００３７】
なお、前面パネル６が第２開状態から第１開状態へと移行する場合には、前面パネル６が上記とは逆に回転移動する。また、室内ユニット１の運転停止時には、水平フラップ５が回動して吹出口２３を閉じた後、前面パネル６が上記とは逆の動作を行って、水平フラップ５の上端から第１吸入口２１までの部分が再び外部から隠蔽される。
（３）本体表示部の構成
上記のように、本実施形態の空気調和装置の室内ユニット１では、運転停止時において、水平フラップ５の上端から第１吸入口２１までの部分が前面パネル６によって隠蔽される構造となっている。このため、水平フラップ５を回動可能にするための比較的大きな隙間Ｇが外部から見えにくくなっている。また、前面パネル６は、第１吸入口２１や吹出口２３がケーシング２の前面の水平方向両端部分を除いた部分のみに形成されているにもかかわらず、ケーシング２の前面を左端から右端まで覆うように設けられている。これにより、この室内ユニット１では、インテリア性が向上するなど美観が向上している。
【００３８】
しかし、本実施形態においては、この前面パネル６がケーシング２の前面の大部分を覆っているため、本体表示部８をケーシング２の底面及びその近傍に配置せざるを得なくなっている。具体的には、本体表示部８は、第１面としての第１ケーシング面２４に配置されている。本実施形態において、第１ケーシング面２４は、水平面Ｏに対する角度が３０°以下となるように前方に向かうにつれて上方に傾斜している。ここで、第１ケーシング面２４と水平面Ｏとがなす角度を角度αとすると、角度αは、第１ケーシング面２４が完全に平坦な面ではなく、わずかに湾曲した面であることを考慮して、第１ケーシング面２４の各部における接線面と水平面Ｏとがなす角度をいう。例えば、後述の受信素子９４の中心線Ｄと第１ケーシング面２４の外面とが交わる点Ｅにおける接線面を接線面Ｆとすると、この接線面Ｆと水平面Ｏとがなす角度が角度αに対応することになる。そして、第１ケーシング面２４の各部における角度αは、すべて３０°以下である。図１０においては、角度αは、２０°以下になっている。
【００３９】
次に、本実施形態の本体表示部８について、図１、図１０及び図１１を用いて説明する。ここで、図１０は本体表示部８を示す右側面図（基板支持部材１０３については左側面部１０３ｂのみを図示）であり、図１１は本体表示部８を図３の矢印Ｂ方向から見た図である。
本体表示部８は、本実施形態において、第１ケーシング面２４の吹出口２３の右横の位置に配置されている。本体表示部８は、主として、表示パネル８１を有している。
【００４０】
表示パネル８１は、その前端及び後端に複数の係止爪８１ａ、８１ｂを有する略四角形の板状部材であり、第１ケーシング面２４の吹出口２３の右横に形成された矩形状の開口に係止爪８１ａ、８１ｂによって装着されており、第１ケーシング面２４と一体をなしている。表示パネル８１は、その前後方向（すなわち、上下方向）の中央付近にＬＥＤ９１、９２、９３（後述）の表示を視認するための表示窓８２、８３、８４と、表示窓８２〜８４の後側に赤外線式の受信素子９４（後述）が受信する信号を透光させるための受信窓８５とを有している。そして、これらの窓８２〜８５には、透光性を有する樹脂部材が設けられている。また、表示窓８２に設けられる樹脂部材は、リモコンを紛失した場合等に運転を行うために用いられる運転／停止ボタン８６としても機能するようになっている。この運転／停止ボタン８６は、図１２に示されるように、表示窓８２内を表示パネル８１の板厚方向に移動可能に設けられており、ボタン本体８６ａと、舌部８６ｂと、突出部８６ｃとを有している。ボタン本体８６ａは、表示窓８２内に挿入された横長の略矩形状の部分であり、表示窓８２の内側と外側とにわずかに突出している。舌部８６ｂは、ボタン本体８６ａの表示窓８２の内側に突出した部分にボタン本体８６ａと一体に形成されており、表示パネル８１の内面に沿って前方に延びる板状の部分である。突出部８６ｃは、舌部８６ａの前端にケーシング２の内側に向かって延びる円柱状の部分である。また、前面パネル６の下端は、閉状態において表示パネル８１の表示窓８２〜８４を覆わない程度の位置まで延びており（図１０及び図１１において表示窓８２〜８４の近傍に二点鎖線で図示された前面パネル６の下端を参照）、第１及び第２開状態において表示パネル８１の前端をわずかに覆う程度の位置まで延びている（図１０及び図１１において表示パネル８１の前端近傍に二点鎖線で図示された前面パネル６の下端を参照）。ここで、図１２は、図１１のＣ−Ｃ断面図である。
【００４１】
表示パネル８１の内側には、第１基板１０１と、第２基板１０２とが第１ケーシング面２４の内面に対向するように設けられている。第１基板１０１及び第２基板１０２は、表示パネル８１の窓８２〜８５が設けられた部分に対応するように配置された基板支持部材１０３によって支持されている。
基板支持部材１０３は、ケーシング２によって支持されており、主として、表示パネル８１と第２基板１０２との間に配置される矩形状の下面部１０３ａと、下面部１０３ａの両側端から第１基板１０１及び第２基板１０２を側方から挟むように延びる左側面部１０３ｂ及び右側面部１０３ｃとを有している。下面部１０３ａには、表示窓８２〜８４に対応するように形成された貫通孔１０３ｄ、１０３ｅ、１０３ｆと、貫通孔１０３ｄの前方の位置に形成された弾性部１０３ｇとが設けられている。弾性部１０３ｇは、下面部１０３ａに設けられた一端が下面部１０３ａの板厚方向に弾性変形可能な帯状の部分である。弾性部１０３ｇの端部は、運転／停止ボタン８６の突出部８６ｃに対応するように配置されている。弾性部１０３ｇの端部には、突出部８６ｃの先端に当接する円柱状の第１突出部１０３ｈと、第１突出部１０３ｈが形成された面と反対側の面に形成された円柱状の第２突出部１０３ｉとが設けられている。左側面部１０３ｂ及び右側面部１０３ｃには、第１基板１０１を支持するための支持爪１０３ｊが形成されている。また、左側面部１０３ｂ及び右側面部１０３ｃには、第２基板１０２を支持するための支持爪１０３ｋが形成されている。
【００４２】
そして、第２基板１０２は、その基板面Ｈが、表示パネル８１（すなわち、第１ケーシング面２４）にほぼ平行になるように配置されている。一方、第１基板１０１は、その基板面Ｉが、表示パネル８１（すなわち、第１ケーシング面２４）よりも上方に傾斜するように配置されている。言い換えれば、第１ケーシング面２４に直交する面に対して前方に傾斜するように配置されている。すなわち、第１基板１０１は、第２基板１０２に対して角度βだけ前方に向かうにつれて上方に傾斜して配置されている。
【００４３】
第２基板１０２には、主として、室内ユニット１の運転状態を表示する表示器としてのＬＥＤ９１、９２、９３と、リモコンを紛失した場合等に運転を行うために用いられる運転／停止ボタン８６を通じて操作される操作器としてのスイッチ９５とが実装されている。ＬＥＤ９２、９３は、それぞれ、貫通孔１０３ｅ、１０３ｆに対応する位置に配置されており、その光を、直接的に表示窓８３、８４を通じて視認できるようになっている。ＬＥＤ９１は、貫通孔１０３ｄの側方に配置されており、貫通孔１０３ｄにおいて拡散された光を、間接的に表示窓８２（すなわち、運転／停止ボタン８６）を通じて視認できるようになっている。スイッチ９５は、主として、基板支持部材１０３の第２突出部１０３ｉが挿入される筒状部９５ａと、筒状部９５ａ内に設けられたスイッチ本体９５ｂとを有している。そして、運転／停止ボタン８６が押されると、基板支持部材１０３の第２突出部１０３ｉがスイッチ本体９５ｂに接触することとなり、リモコンを用いることなく室内ユニット１の運転／停止を行うことができる（図１２の二点鎖線で示された弾性部１０３ｇを参照）。
【００４４】
第１基板１０１には、主として、リモコンから発信される信号を受信する受信器としての赤外線式の受信素子９４が実装されている。この受信素子９４は、受信窓８５に対応する位置に配置されている。より具体的には、受信素子９４は、受信窓８５の後方の位置に配置されている。また、受信素子９４は、ＬＥＤ９１、９２、９３の後方に配置されている。さらに、受信素子９４は、その下端が、前面パネル６の下端よりも後方に配置されている。
【００４５】
そして、受信素子９４は、受信素子９４の中心線Ｄが、接線面Ｆ（すなわち、表示パネル８１の外面と交わる点である点Ｅにおける接線面）に直交する直交面Ｊに傾斜し、かつ、斜め下方に向くように配置されている。具体的には、中心線Ｄは、直交面Ｊに対して角度γだけ傾斜している。
（４）空気調和装置の室内ユニットの特徴
本実施形態の空気調和装置の室内ユニット１には、以下のような特徴がある。
【００４６】
（Ａ）
本実施形態の空気調和装置の室内ユニット１では、ケーシング２の前面を一側端から他側端まで覆うように配置され、運転時にケーシング２の前方に移動して第１吸入口２１を開く前面パネル６をさらに備えているため、受信器としての受信素子９４をケーシング２の下部に配置することが必須となり、しかも、水平面Ｏに対して３０°以下の角度αをなすように上方に向かって傾斜した第１面としての第１ケーシング面２４に対向して受信素子９４を設けざるを得なくなっている。
【００４７】
しかし、本実施形態の室内ユニット１では、受信素子９４の中心線Ｄが第１ケーシング面２４に直交する面である直交面Ｊに対して角度γだけ傾斜し、かつ、斜め下方に向くように配置されているため、受信素子９４の中心線Ｄがケーシング２の前方を向くようになる。これにより、受信素子９４を水平面Ｏに対する角度の小さい第１ケーシング面２４（すなわち、ケーシング２の底面及びその近傍）に配置せざるを得ない場合であっても、リモコンから発信される信号を受信素子９４において確実に受信することができるようになっている。
特に、本実施形態の室内ユニット１のように、ケーシング２の底面及びその近傍の面（すなわち、第１ケーシング面２４）が水平面Ｏに対して２０°以下の角度αである場合には、受信素子９４の受信距離が確保できないおそれが大きくなるため、有効である。
【００４８】
（Ｂ）
本実施形態の空気調和装置の室内ユニット１では、受信素子９４を表示器としてのＬＥＤ９１、９２、９３の後方に配置することによって、すなわち、ＬＥＤ９１、９２、９３及びその表示窓８２、８３、８４を受信素子９４の前方に配置することによって、ＬＥＤ９１、９２、９３の視認性を確保しつつ、受信素子９４の中心線Ｄがケーシング２の前方を向くようにすることができる。
【００４９】
特に、本実施形態の室内ユニット１では、前面パネル６は、その下端がＬＥＤ９１、９２、９３の近傍まで延びており、受信素子９４は、その下端が前面パネル６の下端よりも後方に配置されているため、前面パネル６の下端と受信素子９４の下端との間の前後距離を大きくできるようになっている。このため、受信素子９４をさらにケーシング２の前方に向ける（具体的には、第１基板１０１と第２基板１０２とがなす角度βを大きくする）ことができるようになり、リモコンから発信される信号を確実に受信することができる。
【００５０】
（Ｃ）
本実施形態の空気調和装置の室内ユニット１では、受信素子９４とＬＥＤ９１、９２、９３とがそれぞれ別の基板（具体的には、第１基板１０１と第２基板１０２）に実装されており各基板１０１、１０２の設置の自由度が増すことになるため、受信素子９４の中心線Ｄが第１ケーシング面２４に直交する直交面Ｊに傾斜し、かつ、斜め下方に向くように受信素子９４を配置することが容易になっている。
また、本実施形態の室内ユニット１では、第１基板１０１を第２基板１０２に対して角度βだけ傾斜させて配置しているため、受信素子９４の形状を変えることなく、受信素子９４の中心線Ｄが直交面Ｊに傾斜し、かつ、斜め下方に向くように配置することができるようになっている。
【００５１】
（Ｄ）
本実施形態の空気調和装置の室内ユニット１では、第２基板１０２に運転操作を行うための操作器としてのスイッチ９５がさらに実装されているため、スイッチ９５及びＬＥＤ９１、９２、９３の配置スペースを小さくすることができる。
【００５２】
特に、本実施形態の室内ユニット１では、ＬＥＤ９１の表示窓８２と、スイッチ９５のオンオフ操作を行うための運転／停止ボタン８６とが兼用（すなわち、一体化）されているため、さらに配置スペースを小さくすることができ、また、意匠性も向上している。
（５）他の実施形態
以上、本発明の実施形態について図面に基づいて説明したが、具体的な構成は、これらの実施形態に限られるものではなく、発明の要旨を逸脱しない範囲で変更可能である。
【産業上の利用可能性】
【００５３】
本発明を利用すれば、壁掛型の空気調和装置の室内ユニットにおいて、室内ユニットの形態によって受信器を室内ユニットの底面及びその近傍に配置せざるを得ない場合であっても、リモコンから発信される信号を確実に受信することができるようになる。
【図面の簡単な説明】
【００５４】
【図１】本発明の一実施形態にかかる空気調和装置の室内ユニットを右斜め下側から見た外観斜視図である。
【図２】本発明の一実施形態にかかる空気調和装置の室内ユニットを左斜め上側から見た外観斜視図である。
【図３】本発明の一実施形態にかかる空気調和装置の室内ユニットの右側面図である。
【図４】本発明の一実施形態にかかる空気調和装置の室内ユニットの水平方向中央付近の内部構造を示す側面断面図である。
【図５】前面パネルを取り外した状態における室内ユニットの正面図である。
【図６】移動機構の構造を示す図である。
【図７】移動機構の開閉動作の状態を示す図である。
【図８】前面パネルの開閉動作の状態を示す図である。
【図９】第１開状態及び第２開状態における室内ユニットを左斜め上側から見た外観斜視図である。
【図１０】本体表示部を示す右側面図（基板支持部材については左側面部のみを図示）である。
【図１１】本体表示部を図３の矢印Ｂ方向から見た図である。
【図１２】図１１のＣ−Ｃ断面図である。
【符号の説明】
【００５５】
１  室内ユニット
２  ケーシング
６  前面パネル
２１  第１吸入口
２４  第１ケーシング面（第１面）
８１  表示パネル（第１面）
９１、９２、９３  ＬＥＤ（表示器）
９４  受信素子（受信器）
９５  スイッチ（操作器）
１０１  第１基板
１０２  第２基板
【手続補正書】
【提出日】平成18年2月9日(2006.2.9)
【手続補正１】
【補正対象書類名】特許請求の範囲
【補正対象項目名】全文
【補正方法】変更
【補正の内容】
【特許請求の範囲】
【請求項１】
壁掛型の空気調和装置の室内ユニットであって、
室内の壁面に装着されており、前面に室内空気の吸入口（２１）を有するケーシング（２）と、
前記ケーシングの前面を運転停止時に一側端から他側端まで覆うように設けられ、運転時に、上端から下端に至る全体が前記ケーシングの前方に移動して前記吸入口を開く前面パネル（６）と、
前記ケーシングの下部に設けられ、リモコンから発信される信号を受信する受信器（９４）とを備え、
前記受信器に対向する前記ケーシングの面である第１面（２４、８１）は、前記壁面に前記ケーシングが装着された状態における水平面（Ｏ）に対して、３０°以下の角度をなすように上方に向かって傾斜しており、
前記受信器は、前記受信器の下端が、前記前面パネルの下端よりも後方に配置されるとともに、前記受信器の中心線（Ｄ）が、前記第１面に直交する面（Ｊ）に対して前方に傾斜し、かつ、斜め下方に向くように配置されている、
空気調和装置の室内ユニット（１）。
【請求項２】
前記受信器（９４）の近傍に配置され、運転状態を表示する表示器（９１、９２、９３）をさらに備えており、
前記受信器は、前記表示器の後方に配置されており、
前記前面パネル（６）は、その下端が前記表示器（９１、９２、９３）の近傍まで延びている、
請求項１に記載の空気調和装置の室内ユニット（１）。
【請求項３】
前記受信器（９４）は、第１基板（１０１）に実装されており、
前記表示器（９１、９２、９３）は、前記第１基板とは別の第２基板（１０２）に実装されている、
請求項２に記載の空気調和装置の室内ユニット（１）。
【請求項４】
前記第１基板（１０１）は、前記第２基板（１０２）に対して傾斜して配置されている、請求項３に記載の空気調和装置の室内ユニット（１）。
【請求項５】
前記第１基板（１０１）は、前記第２基板（１０２）に対して、前方に向かうにつれて上方を向くように傾斜している、請求項４に記載の空気調和装置の室内ユニット（１）。
【請求項６】
前記第１基板（１０１）の前端部は、前記第２基板（１０２）の後端部によりも前記第１面（２４、８１）から遠い位置に配置されている、請求項４又は５に記載の空気調和装置の室内ユニット（１）。
【請求項７】
前記第２基板（１０２）には、運転操作を行うための操作器（９５）がさらに実装されている、請求項３〜６のいずれかに記載の空気調和装置の室内ユニット（１）。
【手続補正２】
【補正対象書類名】明細書
【補正対象項目名】全文
【補正方法】変更
【補正の内容】
【発明の詳細な説明】
【技術分野】
【０００１】
本発明は、空気調和装置の室内ユニット、特に、壁掛型の空気調和装置の室内ユニットに関する。
【背景技術】
【０００２】
セパレート型の空気調和装置を構成する室内ユニットの一つとして、室内の壁面の上部に装着される壁掛型の室内ユニットがある。この壁掛型の室内ユニットには、リモコンによって運転操作を行うことができるように、リモコンから発信される信号を受信するための赤外線式の受信素子等からなる受信器が設けられている。受信器は、室内の居住者が室内ユニットの前面の斜め下側の位置からリモコンを用いて操作することを考慮して、そのリモコンによる操作の際の受信距離を確保することができるように、通常、室内ユニットの前方を向くように設けられている。
【０００３】
ところで、特許文献１に示されるように、ケーシングの前面に設けられた吸入口を開閉することが可能な前面パネルを備えた構造を有する壁掛型の室内ユニットも提案されている。
【特許文献１】特開平７−９８１２９号公報
【発明の開示】
【発明が解決しようとする課題】
【０００４】
上記の特許文献１に示される壁掛型の室内ユニットのように、開閉可能な前面パネルを備えた構造を採用すると、受信器をケーシングの下部に配置することが必須となる。しかも、前面パネルのサイズによっては、受信器をケーシングの底面及びその近傍に配置せざるを得なくなる場合もあり得る。
このような開閉可能な前面パネルを備えた構造を採用する場合や室内ユニットの形状又は他の機器配置の制約等の室内ユニットの形態によって、受信器をケーシングの底面及びその近傍に配置せざるを得なくなる場合には、リモコンから発信される信号を確実に受信することはできないという問題が生じてしまう。
【０００５】
また、受信器の近傍には、運転状態を表示するためのＬＥＤ等からなる表示器やリモコンを紛失した場合等に運転を行うためのボタン等からなる操作器が配置されることが多く、これらの機器についてもケーシングの底面及びその近傍に配置せざるを得なくなり、配置スペースが限られてしまう。特に、表示器については、視認性を確保する必要があるため、ケーシングの底面及びその近傍に配置する上での制約が多い。
【０００６】
本発明の課題は、壁掛型の空気調和装置の室内ユニットにおいて、室内ユニットの形態によって受信器を室内ユニットの底面及びその近傍に配置せざるを得ない場合であっても、リモコンから発信される信号を確実に受信できるようにすることにある。
【課題を解決するための手段】
【０００７】
第１の発明にかかる空気調和装置の室内ユニットは、壁掛型の空気調和装置の室内ユニットであって、室内の壁面に装着されており前面に室内空気の吸入口を有するケーシングと、ケーシングの前面を運転停止時に一側端から他側端まで覆うように設けられ、運転時に、上端から下端に至る全体がケーシングの前方に移動して吸入口を開く前面パネルと、ケーシングの下部に設けられておりリモコンから発信される信号を受信する受信器とを備えている。そして、受信器に対向するケーシングの面である第１面は、壁面にケーシングが装着された状態における水平面に対して、３０°以下の角度をなすように上方に向かって傾斜している。受信器は、前記受信器の下端が、前記前面パネルの下端よりも後方に配置されるとともに、受信器の中心線が、第１面に直交する面に対して前方に傾斜し、かつ、斜め下方に向くように配置されている。
【０００８】
この空気調和装置の室内ユニットでは、ケーシングの前面を運転停止時に一側端から他側端まで覆うように前面パネルが設けられているため、受信器をケーシングの下部に配置することが必須となり、さらに、受信器を室内ユニットの底面及びその近傍の水平面に対して３０°以下の角度をなすように上方に向かって傾斜した第１面に対向して受信器が設けられている。しかも、この前面パネルは、運転時に、上端から下端に至る全体がケーシングの前方に移動して吸入口を開くようになっている。しかし、この空気調和装置の室内ユニットでは、水平面に対して３０°以下の角度をなすように上方に向かって傾斜した第１面に対向して受信器が設けられており、受信器の下端が、前面パネルの下端よりも後方に配置されるとともに、受信器の中心線が第１面に直交する面に対して前方に傾斜し、かつ、斜め下方に向くように配置されているため、受信器の中心線がケーシングの前方を向くようになり、このように受信器を室内ユニットの底面及びその近傍に配置せざるを得ない場合であっても、リモコンから発信される信号を確実に受信することができる。
【０００９】
第２の発明にかかる空気調和装置の室内ユニットは、第１にかかる空気調和装置の室内ユニットにおいて、受信器の近傍に配置され、運転状態を表示する表示器をさらに備えている。受信器は、表示器の後方に配置されている。前面パネルは、その下端が表示器の近傍まで延びている。
この空気調和装置の室内ユニットでは、受信器を表示器の後方に配置することによって、すなわち、表示器を受信器の前方に配置することによって、表示器の視認性を確保しつつ、受信器の中心線がケーシングの前方を向くようにすることができる。また、この空気調和装置の室内ユニットでは、前面パネルの下端と受信器の下端との間の前後距離を大きくすることができるため、リモコンから発信される信号を確実に受信することができる。
【００１０】
第３の発明にかかる空気調和装置の室内ユニットは、第２の発明にかかる空気調和装置の室内ユニットにおいて、受信器は、第１基板に実装されている。表示器は、第１基板とは別の第２基板に実装されている。
この空気調和装置の室内ユニットでは、受信器と表示器とがそれぞれ別の基板に実装されており各基板の設置の自由度が増すことになるため、受信器の下端が、前面パネルの下端よりも後方に配置されるとともに、受信器の中心線が第１面に直交する面に対して前方に傾斜し、かつ、斜め下方に向くように受信器を配置することが容易になる。
【００１１】
第４の発明にかかる空気調和装置の室内ユニットは、第３の発明にかかる空気調和装置の室内ユニットにおいて、第１基板は、第２基板に対して傾斜して配置されている。
この空気調和装置の室内ユニットでは、第１基板を第２基板に対して傾斜させて配置しているため、受信器の形状を変えることなく、受信器の下端が、前面パネルの下端よりも後方に配置されるとともに、受信器の中心線が第１面に直交する面に対して前方に傾斜し、かつ、斜め下方に向くように配置することができる。
【００１２】
第５の発明にかかる空気調和装置の室内ユニットは、第４の発明にかかる空気調和装置の室内ユニットにおいて、第１基板は、第２基板に対して、前方に向かうにつれて上方を向くように傾斜している。
第６の発明にかかる空気調和装置の室内ユニットは、第４又は第５の発明にかかる空気調和装置の室内ユニットにおいて、第１基板の前端部は、第２基板の後端部によりも第１面から遠い位置に配置されている。
【００１３】
第７の発明にかかる空気調和装置の室内ユニットは、第３〜第６の発明のいずれかにかかる空気調和装置の室内ユニットにおいて、第２基板には、運転操作を行うための操作器がさらに実装されている。
この空気調和装置の室内ユニットでは、操作器が表示器と同じ基板に実装されているため、操作器及び表示器の配置スペースを小さくすることができる。
【発明の効果】
【００１４】
以上の説明に述べたように、本発明によれば、以下の効果が得られる。
第１の発明では、受信器の中心線がケーシングの前方を向くようになり、リモコンから発信される信号を確実に受信できる。
第２の発明では、リモコンから発信される信号を確実に受信することができる。
第３の発明では、受信器と表示器とがそれぞれ別の基板に実装されており各基板の設置の自由度が増すことになるため、受信器の下端が、前面パネルの下端よりも後方に配置されるとともに、受信器の中心線が第１面に直交する面に対して前方に傾斜し、かつ、斜め下方に向くように受信器を配置することが容易になる。
【００１５】
第４〜第６の発明では、第１基板を第２基板に対して傾斜させて配置しているため、受信器の形状を変えることなく、受信器の下端が、前面パネルの下端よりも後方に配置されるとともに、受信器の中心線が第１面に直交する面に対して前方に傾斜し、かつ、斜め下方に向くように配置することができる。
第７の発明では、操作器が表示器と同じ基板に実装されているため、操作器及び表示器の配置スペースを小さくすることができる。
【発明を実施するための最良の形態】
【００１６】
以下、図面に基づいて、本発明にかかる空気調和装置の室内ユニットの実施形態について説明する。
（１）空気調和装置の室内ユニットの構成
本発明の一実施形態にかかる空気調和装置の室内ユニット１の外観を、図１、図２及び図３に示す。尚、以下の説明において、室内ユニット１に関する方向や位置を示す場合には、室内ユニット１が室内の壁面に装着された状態を基準として示すものとする。そして、室内ユニット１の壁面に装着される部分を室内ユニット１（すなわち、ケーシング２）の背面とし、背面に対向して室内に突出する面を前面（又は正面）とし、前面及び背面の横側の面を側面（より具体的には、正面から見て右側の面を右側面、正面から見て左側の面を左側面）とし、前面及び背面の上側の面を天面とし、前面及び背面の下側の面を底面とする。また、室内ユニット１の水平面とは、室内の壁面が鉛直面である場合に、壁面に直交する面のことをいう。ここで、図１は室内ユニット１を右斜め下側から見た外観斜視図であり、図２は室内ユニット１を左斜め上側から見た外観斜視図であり、図３は室内ユニット１の右側面図である。
【００１７】
この空気調和装置の室内ユニット１は、室内の壁面の上部に装着される壁掛型の室内ユニットであり、室内の冷暖房等を行う機能を有している。室内ユニット１は、主として、ケーシング２と、送風ファン３（図４参照）と、室内熱交換器４（図４参照）と、水平フラップ５と、前面パネル６と、移動機構７（図６参照）と、本体表示部８とを備えている。
【００１８】
＜ケーシング＞
ケーシング２は、正面視において水平方向に長い直方体形状を有しており、図４に示されるように、主として、送風ファン３と、室内熱交換器４と、本体表示部８の構成部品（図１０参照）とを収容している。ケーシング２の前面には、前面パネル６が設けられている。前面パネル６については、後に詳細に説明する。ケーシング２には、第１吸入口２１と、第２吸入口２２と、吹出口２３とが設けられている。ここで、図４は、室内ユニット１の水平方向中央付近の内部構造を示す側面断面図である。
【００１９】
吹出口２３は、ケーシング２内から室内へと吹き出される空気が通る開口であり、第１ケーシング面２４に設けられている。第１ケーシング面２４は、室内機ケーシング２の底面の前側部分を構成している。この第１ケーシング面２４は、その前端が下端よりも上方に位置するように、すなわち、壁面にケーシング２が装着された状態における水平面に対して上方に向かって傾斜している。そして、吹出口２３は、図５に示されるように、第１ケーシング面２４の水平方向両端部分を除く部分に設けられている。また、吹出口２３には、水平フラップ５が設けられている。ここで、図５は、前面パネル６を取り外した状態における室内ユニット１の正面図である。
【００２０】
第１吸入口２１は、室内からケーシング２内へと取り込まれる空気が通る開口であり、第２ケーシング面２５に設けられている。第２ケーシング面２５は、ケーシング２の前面を構成しており、第１吸入口２１は、ケーシング２の前面に設けられている。第２ケーシング面２５は、上下方向に伸びる略平坦な形状となっているが、上端が下端に比べてわずかに前方に位置するように傾斜している。第２ケーシング面２５の下端は、第１ケーシング面２４の上端と連続しており、第２ケーシング面２５は、第１ケーシング面２４に対して所定角度をなしている。すなわち、第１ケーシング面２４と第２ケーシング面２５とは、屈曲した形状となっており、９０°以上１８０°未満の比較的緩やかな角度をなしている。そして、第１吸入口２１は、吹出口２３と同様に、第２ケーシング面２５の水平方向両端部分を除く部分に設けられている。
第２吸入口２２は、室内からケーシング２内へと取り込まれる空気が通る開口であり、第３ケーシング面２６に設けられている。第３ケーシング面２６は、ケーシング２の天面を構成しており、格子状の吸入グリルが設けられている。
【００２１】
＜送風ファン＞
送風ファン３は、水平方向に細長い円筒形状に構成され、中心軸が水平方向に平行になるように配置されたクロスフローファンである。送風ファン３の周面には、複数の翼が設けられている。送風ファン３は、図示しないファンモータによって中心軸周りに回転駆動され、室内の空気を第１吸入口２１及び第２吸入口２２を通じてケーシング２内に取り込み、室内熱交換器４を通過させた後に、吹出口２３からケーシング２内から室内へ吹き出す空気の流れを生じさせる。送風ファン３は、側面視において室内ユニット１の概ね中央に配置されている。
【００２２】
＜水平フラップ＞
水平フラップ５は、吹出口２３を開閉自在に設けられ、吹出口２３から室内へ吹き出される空気を案内する。水平フラップ５は、ケーシング２の水平方向に細長い板形状を有しており、ケーシング２の水平方向に平行な軸を中心に回動自在に吹出口２３に設けられている。水平フラップ５は、図示しないフラップモータによって回転駆動される。水平フラップ５は、吹出口２３よりもわずかに小さい形状を有するが、図５に示されるように、吹出口２３を閉じる水平フラップ５の上端とケーシング２との間には、隙間Ｇが設けられている。この隙間Ｇが設けられることによって、水平フラップ５は、吹出口２３において制限少なく回動可能となっている。
【００２３】
＜前面パネル＞
前面パネル６は、ケーシング２の前面に設けられており、ケーシング２の前方に移動して第１吸入口２１を開き、ケーシング２に近接するように移動して第１吸入口２１を閉じる（以下、閉状態とする）ことにより、第１吸入口２１を開閉する。また、前面パネル６は、閉状態において、ケーシング２の前面を一側端から他側端（すなわち、左端から右端）までを覆うように設けられている。より具体的には、前面パネル６は、第２ケーシング面２５の上端部分を除く左端から右端までを覆い、第１ケーシング面２４の上端部分を左端から右端までを覆っている。すなわち、前面パネル６は、ケーシング２の第１吸入口２１及び吹出口２３の水平方向両端部分よりも側方に向かって延びている。また、水平フラップ５は、前面パネル６によって、隙間Ｇとともにその上端部分が覆われている。前面パネル６は、ケーシング２の第１ケーシング面２４及び第２ケーシング面２５の形状に沿うように屈曲した形状を有しており、第１パネル部６１と、第２パネル部６２とを有している。
【００２４】
第１パネル部６１は、第１ケーシング面２４に沿う形状を有しており、前面パネル６の閉状態において、水平フラップ５の上端を覆う部分である。すなわち、第１パネル部６１は、前面パネル６の下部を構成している。
第２パネル部６２は、第２ケーシング面２５に沿う形状を有しており、前面パネル６の閉状態において、第１吸入口２１を覆う部分である。すなわち、第２パネル部６２は、前面パネル６の上部を構成している。
尚、前面パネル６は、その両側端が第１支持部材７１によって支持されている（図９参照）。２つの第１支持部材７１は、ケーシング２の両側端に設けられており、前後方向に移動可能に設けられている。そして、第１支持部材７１によって、前面パネル６が前後方向に移動し、第１吸入口２１の開閉を行うことができるようになっている。
【００２５】
＜移動機構＞
移動機構７は、図６及び図７に示されるように、第１吸入口２１が所望の開度で開かれるように前面パネル６を移動させる機構である。移動機構７は、前面パネル６が第１吸入口２１を閉じた閉状態（図７（ａ）の状態）と、前面パネル６が閉状態から前方へと移動して第１吸入口２１を開いた状態（図７（ｂ）の状態、以下、第１開状態とする）と、前面パネル６が第１開状態からさらに前方へと移動して第１吸入口２１をさらに大きく開いた状態（図７（ｃ）の状態、以下、第２開状態とする）とに前面パネル６を移動させる。前面パネル６が閉状態から第１開状態へと移行する場合には、前面パネル６は第１ケーシング面２４に沿って前方に移動し、前面パネル６が第１開状態から第２開状態へと移行する場合には、前面パネル６はその上端部が前方に開くように回転移動する。前面パネル６が第１開状態であるとき、第１吸入口２１は第１開度で開かれる。また、前面パネル６が第２開状態であるとき、第１吸入口２１は第１開度よりも大きい最大開度である第２開度で開かれる。移動機構７は、主として、第１支持部材７１と、第２支持部材７２と、パネル駆動モーター（図示せず）とを有している。ここで、図６は移動機構７の構造を示す図であり、図７は移動機構７の開閉動作の状態を示す図である。
【００２６】
第１支持部材７１は、前面パネル６の左側端と右側端とを支持する板状の部材であり、略鉛直方向及び前方に延びる板状の部材である。第１支持部材７１の上端縁は、その前側部分が後側部分に向かうにつれて下方に傾斜しており、後述する第２ピニオンギヤ７９に螺合するラックギヤ７４が第１支持部材７１の上端縁に沿って設けられている。また、第１支持部材７１の上下方向中央部分には、第１スリット部７５と、第２スリット部７６と、第３スリット部７７とが設けられている。スリット部７５、７６、７７は、それぞれが第１支持部材７１の両面に貫通する長孔であり、第１支持部材７１と同様に前側部分が後側部分に向かうにつれて下方に傾斜している。本実施形態において、スリット部７５は、第１パネル部６１に沿うように、すなわち、第１ケーシング面２４に沿うように傾斜している。第１スリット部７５は、後下方から前上方へ直線状に延びる直線部７５ａと、直線部７５ａの後端に連続し下方にわずかに凹んで湾曲した湾曲部７５ｂとを有している。第２スリット部７６及び第３スリット部７７は、第１スリット部７５と同様に、直線部及び湾曲部を有している。尚、第２スリット部７６は第１スリット部７５の下方に位置し、第３スリット部７７は第２スリット部７６の下方に位置している。また、第１スリット部７５、第２スリット部７６及び第３スリット部７７は、互いに平行に配置されている。
【００２７】
第２支持部材７２は、第１支持部材７１をケーシング２の前後方向に直線移動可能にかつケーシング２の前後方向に回転移動可能に支持する部材であり、ケーシング２の右側面の内側と左側面の内側にそれぞれ取り付けられている。第２支持部材７２は、互いに螺合する第１ピニオンギヤ７８と第２ピニオンギヤ７９とを有している。第１ピニオンギヤ７８は、図示しないパネル駆動モーターによって回転駆動され、この回転を第２ピニオンギヤ７９へと伝達する。第２ピニオンギヤ７９は、第１ピニオンギヤ７８から伝達された回転をラックギヤ７４に伝達する。また、第２支持部材７２の中央部付近には、第１支持爪７２ａと第２支持爪７２ｂとが設けられている。第１支持爪７２ａは、第２支持部材７２の表面から側方に突出する円筒形状を有しており、第１支持部材７１の第１スリット部７５に挿入される。第１支持爪７２ａは、第１スリット部７５に係止して第１支持部材７１を支持する。第２支持爪７２ｂも、第１支持爪７２ａと同様に第２支持部材７２の表面から突出する円筒形状を有しており、第１支持部材７１の第３スリット部７７に挿入される。第２支持爪７２ｂは、第３スリット部７７に係止して第１支持部材７１を支持する。第１支持爪７２ａ及び第２支持爪７２ｂは、前面パネル６が開閉動作を行う際に、第１スリット部７５及び第２スリット部７６に対して摺動し、前後に移動する前面パネル６を支持している。
【００２８】
（２）前面パネルの開閉動作
次に、前面パネル６の開閉動作について、図２、図７、図８及び図９を用いて説明する。ここで、図８は前面パネル６の開閉動作の状態を示す図であり、図９は第１開状態及び第２開状態における室内ユニット１を左斜め上側から見た外観斜視図である。
空気調和装置の室内ユニット１の運転停止時には、水平フラップ５によって吹出口２３が閉じられるとともに前面パネル６が閉状態となっている。閉状態では、図７（ａ）に示されるように、第１支持部材７１の第１スリット部７５の前端と第１支持爪７２ａとが近接し、第１支持部材７１の第３スリット部７７の前端と第２支持爪７２ｂとが近接しており、前面パネル６は、図８（ａ）に示すように、第１吸入口２１を覆うとともに水平フラップ５の上端を覆った状態になっている。この閉状態において、第１パネル部６１は、水平フラップ５の上端部、隙間Ｇ及び吹出口２３の上部を含む第１ケーシング面２４の上部を覆っている。また、第２パネル部６２は、第２ケーシング面２５を覆っている。前面パネル６は、閉状態において、第１ケーシング面２４及び第２ケーシング面２５に沿って、第１ケーシング面２４及び第２ケーシング面２５に近接した状態となっている。これにより、室内ユニット１の運転停止時には、水平フラップ５の上端から第１吸入口２１までの部分が外部から隠蔽されている。
【００２９】
前面パネル６が閉状態から第１開状態へ移行する場合、第１支持部材７１は、図７（ｂ）に示すように、第１スリット部７５の直線部７５ａの後端が第１支持爪７２ａに近接し、第３スリット部７７の直線部７７ａの後端が第２支持爪７２ｂに近接する方向に移動する。このとき、第１スリット部７５の直線部７５ａは第１支持爪７２ａに対して摺動し、第３スリット部７７の直線部７７ａは第２支持爪７２ｂに対して摺動する。これにより、第１支持部材７１は、斜め前上方に移動し、前面パネル６は、図８（ｂ）に示すように、第１ケーシング面２４に沿って斜め前上方へと平行移動する（図８の矢印Ａ参照）。このとき、第１パネル部６１が第１ケーシング面２４に沿って斜め前上方へと移動するとともに第２パネル部６２が第２ケーシング面２５から離れるように斜め前上方へと移動するため、前面パネル６は吹出口２３及び第１吸入口２１を開くことになる。そして、第１パネル部６１は、下端が吹出口２３の上端を越える位置まで移動して第１パネル部６１が吹出口２３からの空気の吹き出しを妨げないようにするとともに、第１パネル部６１が第２パネル部６２と第２ケーシング面２５との間の下部を塞ぐ。そして、吹出口２３を閉じていた水平フラップ５が回動することによって、吹出口２３が開かれる。また、この状態においては、図９に示されるように、第２パネル部６２と第２ケーシング面２５との間の上部が開かれており、第１吸入口２１からケーシング２内に取り込まれる空気が通過することができるようになる（図９の実線で示された前面パネル６を参照）。尚、第１開状態においては、第２パネル部６２と第２ケーシング面２５との間の両側部は第１支持部材７１によって塞がれており、この第１支持部材７１が目隠し板となって外部から第１吸入口２１を通してケーシング２の内部が見えないようになっている。
【００３０】
さらに、前面パネル６が第１開状態から第２開状態へと移行する場合、第１支持部材７１は、図７（ｃ）に示すように、第１スリット部７５の湾曲部７５ｂが第１支持爪７２ａに係止され、第３スリット部７７の湾曲部７７ｂが第２支持爪７２ｂに係止されるように移動する。これにより、第１支持部材７１は回転移動し、前面パネル６は、図８（ｂ）に示されるように、上端が前方へ倒れるように回転移動する（矢印Ｂ参照）。このとき、第１パネル部６１の下端は第１開状態における位置のままであり、前面パネル６が第１パネル部６１の下端を中心に回転することによって、第２パネル部６２の上端が前方へ向けて回転移動する。これにより、第２パネル部６２と第２ケーシング面２５との間の上部がさらに開かれ、第１吸入口２１がさらに開かれる（図９の二点鎖線で示された前面パネル６を参照）。
なお、前面パネル６が第２開状態から第１開状態へと移行する場合には、前面パネル６が上記とは逆に回転移動する。また、室内ユニット１の運転停止時には、水平フラップ５が回動して吹出口２３を閉じた後、前面パネル６が上記とは逆の動作を行って、水平フラップ５の上端から第１吸入口２１までの部分が再び外部から隠蔽される。
【００３１】
（３）本体表示部の構成
上記のように、本実施形態の空気調和装置の室内ユニット１では、運転停止時において、水平フラップ５の上端から第１吸入口２１までの部分が前面パネル６によって隠蔽される構造となっている。このため、水平フラップ５を回動可能にするための比較的大きな隙間Ｇが外部から見えにくくなっている。また、前面パネル６は、第１吸入口２１や吹出口２３がケーシング２の前面の水平方向両端部分を除いた部分のみに形成されているにもかかわらず、ケーシング２の前面を左端から右端まで覆うように設けられている。これにより、この室内ユニット１では、インテリア性が向上するなど美観が向上している。
【００３２】
しかし、本実施形態においては、この前面パネル６がケーシング２の前面の大部分を覆っているため、本体表示部８をケーシング２の底面及びその近傍に配置せざるを得なくなっている。具体的には、本体表示部８は、第１面としての第１ケーシング面２４に配置されている。本実施形態において、第１ケーシング面２４は、水平面Ｏに対する角度が３０°以下となるように前方に向かうにつれて上方に傾斜している。ここで、第１ケーシング面２４と水平面Ｏとがなす角度を角度αとすると、角度αは、第１ケーシング面２４が完全に平坦な面ではなく、わずかに湾曲した面であることを考慮して、第１ケーシング面２４の各部における接線面と水平面Ｏとがなす角度をいう。例えば、後述の受信素子９４の中心線Ｄと第１ケーシング面２４の外面とが交わる点Ｅにおける接線面を接線面Ｆとすると、この接線面Ｆと水平面Ｏとがなす角度が角度αに対応することになる。そして、第１ケーシング面２４の各部における角度αは、すべて３０°以下である。図１０においては、角度αは、２０°以下になっている。
【００３３】
次に、本実施形態の本体表示部８について、図１、図１０及び図１１を用いて説明する。ここで、図１０は本体表示部８を示す右側面図（基板支持部材１０３については左側面部１０３ｂのみを図示）であり、図１１は本体表示部８を図３の矢印Ｂ方向から見た図である。
本体表示部８は、本実施形態において、第１ケーシング面２４の吹出口２３の右横の位置に配置されている。本体表示部８は、主として、表示パネル８１を有している。
【００３４】
表示パネル８１は、その前端及び後端に複数の係止爪８１ａ、８１ｂを有する略四角形の板状部材であり、第１ケーシング面２４の吹出口２３の右横に形成された矩形状の開口に係止爪８１ａ、８１ｂによって装着されており、第１ケーシング面２４と一体をなしている。表示パネル８１は、その前後方向（すなわち、上下方向）の中央付近にＬＥＤ９１、９２、９３（後述）の表示を視認するための表示窓８２、８３、８４と、表示窓８２〜８４の後側に赤外線式の受信素子９４（後述）が受信する信号を透光させるための受信窓８５とを有している。そして、これらの窓８２〜８５には、透光性を有する樹脂部材が設けられている。また、表示窓８２に設けられる樹脂部材は、リモコンを紛失した場合等に運転を行うために用いられる運転／停止ボタン８６としても機能するようになっている。この運転／停止ボタン８６は、図１２に示されるように、表示窓８２内を表示パネル８１の板厚方向に移動可能に設けられており、ボタン本体８６ａと、舌部８６ｂと、突出部８６ｃとを有している。ボタン本体８６ａは、表示窓８２内に挿入された横長の略矩形状の部分であり、表示窓８２の内側と外側とにわずかに突出している。舌部８６ｂは、ボタン本体８６ａの表示窓８２の内側に突出した部分にボタン本体８６ａと一体に形成されており、表示パネル８１の内面に沿って前方に延びる板状の部分である。突出部８６ｃは、舌部８６ａの前端にケーシング２の内側に向かって延びる円柱状の部分である。また、前面パネル６の下端は、閉状態において表示パネル８１の表示窓８２〜８４を覆わない程度の位置まで延びており（図１０及び図１１において表示窓８２〜８４の近傍に二点鎖線で図示された前面パネル６の下端を参照）、第１及び第２開状態において表示パネル８１の前端をわずかに覆う程度の位置まで延びている（図１０及び図１１において表示パネル８１の前端近傍に二点鎖線で図示された前面パネル６の下端を参照）。ここで、図１２は、図１１のＣ−Ｃ断面図である。
【００３５】
表示パネル８１の内側には、第１基板１０１と、第２基板１０２とが第１ケーシング面２４の内面に対向するように設けられている。第１基板１０１及び第２基板１０２は、表示パネル８１の窓８２〜８５が設けられた部分に対応するように配置された基板支持部材１０３によって支持されている。
基板支持部材１０３は、ケーシング２によって支持されており、主として、表示パネル８１と第２基板１０２との間に配置される矩形状の下面部１０３ａと、下面部１０３ａの両側端から第１基板１０１及び第２基板１０２を側方から挟むように延びる左側面部１０３ｂ及び右側面部１０３ｃとを有している。下面部１０３ａには、表示窓８２〜８４に対応するように形成された貫通孔１０３ｄ、１０３ｅ、１０３ｆと、貫通孔１０３ｄの前方の位置に形成された弾性部１０３ｇとが設けられている。弾性部１０３ｇは、下面部１０３ａに設けられた一端が下面部１０３ａの板厚方向に弾性変形可能な帯状の部分である。弾性部１０３ｇの端部は、運転／停止ボタン８６の突出部８６ｃに対応するように配置されている。弾性部１０３ｇの端部には、突出部８６ｃの先端に当接する円柱状の第１突出部１０３ｈと、第１突出部１０３ｈが形成された面と反対側の面に形成された円柱状の第２突出部１０３ｉとが設けられている。左側面部１０３ｂ及び右側面部１０３ｃには、第１基板１０１を支持するための支持爪１０３ｊが形成されている。また、左側面部１０３ｂ及び右側面部１０３ｃには、第２基板１０２を支持するための支持爪１０３ｋが形成されている。
【００３６】
そして、第２基板１０２は、その基板面Ｈが、表示パネル８１（すなわち、第１ケーシング面２４）にほぼ平行になるように配置されている。一方、第１基板１０１は、その基板面Ｉが、表示パネル８１（すなわち、第１ケーシング面２４）よりも上方に傾斜するように配置されている。言い換えれば、第１ケーシング面２４に直交する面に対して前方に傾斜するように配置されている。すなわち、第１基板１０１は、第２基板１０２に対して角度βだけ前方に向かうにつれて上方に傾斜して配置されている。
【００３７】
第２基板１０２には、主として、室内ユニット１の運転状態を表示する表示器としてのＬＥＤ９１、９２、９３と、リモコンを紛失した場合等に運転を行うために用いられる運転／停止ボタン８６を通じて操作される操作器としてのスイッチ９５とが実装されている。ＬＥＤ９２、９３は、それぞれ、貫通孔１０３ｅ、１０３ｆに対応する位置に配置されており、その光を、直接的に表示窓８３、８４を通じて視認できるようになっている。ＬＥＤ９１は、貫通孔１０３ｄの側方に配置されており、貫通孔１０３ｄにおいて拡散された光を、間接的に表示窓８２（すなわち、運転／停止ボタン８６）を通じて視認できるようになっている。スイッチ９５は、主として、基板支持部材１０３の第２突出部１０３ｉが挿入される筒状部９５ａと、筒状部９５ａ内に設けられたスイッチ本体９５ｂとを有している。そして、運転／停止ボタン８６が押されると、基板支持部材１０３の第２突出部１０３ｉがスイッチ本体９５ｂに接触することとなり、リモコンを用いることなく室内ユニット１の運転／停止を行うことができる（図１２の二点鎖線で示された弾性部１０３ｇを参照）。
【００３８】
第１基板１０１には、主として、リモコンから発信される信号を受信する受信器としての赤外線式の受信素子９４が実装されている。この受信素子９４は、受信窓８５に対応する位置に配置されている。より具体的には、受信素子９４は、受信窓８５の後方の位置に配置されている。また、受信素子９４は、ＬＥＤ９１、９２、９３の後方に配置されている。さらに、受信素子９４は、その下端が、前面パネル６の下端よりも後方に配置されている。
【００３９】
そして、受信素子９４は、受信素子９４の中心線Ｄが、接線面Ｆ（すなわち、表示パネル８１の外面と交わる点である点Ｅにおける接線面）に直交する直交面Ｊに傾斜し、かつ、斜め下方に向くように配置されている。具体的には、中心線Ｄは、直交面Ｊに対して角度γだけ傾斜している。
（４）空気調和装置の室内ユニットの特徴
本実施形態の空気調和装置の室内ユニット１には、以下のような特徴がある。
【００４０】
（Ａ）
本実施形態の空気調和装置の室内ユニット１では、ケーシング２の前面を一側端から他側端まで覆うように配置され、運転時にケーシング２の前方に移動して第１吸入口２１を開く前面パネル６をさらに備えているため、受信器としての受信素子９４をケーシング２の下部に配置することが必須となり、しかも、水平面Ｏに対して３０°以下の角度αをなすように上方に向かって傾斜した第１面としての第１ケーシング面２４に対向して受信素子９４を設けざるを得なくなっている。
【００４１】
しかし、本実施形態の室内ユニット１では、受信素子９４の中心線Ｄが第１ケーシング面２４に直交する面である直交面Ｊに対して角度γだけ傾斜し、かつ、斜め下方に向くように配置されているため、受信素子９４の中心線Ｄがケーシング２の前方を向くようになる。これにより、受信素子９４を水平面Ｏに対する角度の小さい第１ケーシング面２４（すなわち、ケーシング２の底面及びその近傍）に配置せざるを得ない場合であっても、リモコンから発信される信号を受信素子９４において確実に受信することができるようになっている。
特に、本実施形態の室内ユニット１のように、ケーシング２の底面及びその近傍の面（すなわち、第１ケーシング面２４）が水平面Ｏに対して２０°以下の角度αである場合には、受信素子９４の受信距離が確保できないおそれが大きくなるため、有効である。
【００４２】
（Ｂ）
本実施形態の空気調和装置の室内ユニット１では、受信素子９４を表示器としてのＬＥＤ９１、９２、９３の後方に配置することによって、すなわち、ＬＥＤ９１、９２、９３及びその表示窓８２、８３、８４を受信素子９４の前方に配置することによって、ＬＥＤ９１、９２、９３の視認性を確保しつつ、受信素子９４の中心線Ｄがケーシング２の前方を向くようにすることができる。
【００４３】
特に、本実施形態の室内ユニット１では、前面パネル６は、その下端がＬＥＤ９１、９２、９３の近傍まで延びており、受信素子９４は、その下端が前面パネル６の下端よりも後方に配置されているため、前面パネル６の下端と受信素子９４の下端との間の前後距離を大きくできるようになっている。このため、受信素子９４をさらにケーシング２の前方に向ける（具体的には、第１基板１０１と第２基板１０２とがなす角度βを大きくする）ことができるようになり、リモコンから発信される信号を確実に受信することができる。
【００４４】
（Ｃ）
本実施形態の空気調和装置の室内ユニット１では、受信素子９４とＬＥＤ９１、９２、９３とがそれぞれ別の基板（具体的には、第１基板１０１と第２基板１０２）に実装されており各基板１０１、１０２の設置の自由度が増すことになるため、受信素子９４の中心線Ｄが第１ケーシング面２４に直交する直交面Ｊに傾斜し、かつ、斜め下方に向くように受信素子９４を配置することが容易になっている。
また、本実施形態の室内ユニット１では、第１基板１０１を第２基板１０２に対して角度βだけ傾斜させて配置しているため、受信素子９４の形状を変えることなく、受信素子９４の中心線Ｄが直交面Ｊに傾斜し、かつ、斜め下方に向くように配置することができるようになっている。
【００４５】
（Ｄ）
本実施形態の空気調和装置の室内ユニット１では、第２基板１０２に運転操作を行うための操作器としてのスイッチ９５がさらに実装されているため、スイッチ９５及びＬＥＤ９１、９２、９３の配置スペースを小さくすることができる。
特に、本実施形態の室内ユニット１では、ＬＥＤ９１の表示窓８２と、スイッチ９５のオンオフ操作を行うための運転／停止ボタン８６とが兼用（すなわち、一体化）されているため、さらに配置スペースを小さくすることができ、また、意匠性も向上している。
【００４６】
（５）他の実施形態
以上、本発明の実施形態について図面に基づいて説明したが、具体的な構成は、これらの実施形態に限られるものではなく、発明の要旨を逸脱しない範囲で変更可能である。
【産業上の利用可能性】
【００４７】
本発明を利用すれば、壁掛型の空気調和装置の室内ユニットにおいて、室内ユニットの形態によって受信器を室内ユニットの底面及びその近傍に配置せざるを得ない場合であっても、リモコンから発信される信号を確実に受信することができるようになる。
【図面の簡単な説明】
【００４８】
【図１】本発明の一実施形態にかかる空気調和装置の室内ユニットを右斜め下側から見た外観斜視図である。
【図２】本発明の一実施形態にかかる空気調和装置の室内ユニットを左斜め上側から見た外観斜視図である。
【図３】本発明の一実施形態にかかる空気調和装置の室内ユニットの右側面図である。
【図４】本発明の一実施形態にかかる空気調和装置の室内ユニットの水平方向中央付近の内部構造を示す側面断面図である。
【図５】前面パネルを取り外した状態における室内ユニットの正面図である。
【図６】移動機構の構造を示す図である。
【図７】移動機構の開閉動作の状態を示す図である。
【図８】前面パネルの開閉動作の状態を示す図である。
【図９】第１開状態及び第２開状態における室内ユニットを左斜め上側から見た外観斜視図である。
【図１０】本体表示部を示す右側面図（基板支持部材については左側面部のみを図示）である。
【図１１】本体表示部を図３の矢印Ｂ方向から見た図である。
【図１２】図１１のＣ−Ｃ断面図である。
【符号の説明】
【００４９】
１  室内ユニット
２  ケーシング
６  前面パネル
２１  第１吸入口
２４  第１ケーシング面（第１面）
８１  表示パネル（第１面）
９１、９２、９３  ＬＥＤ（表示器）
９４  受信素子（受信器）
９５  スイッチ（操作器）
１０１  第１基板
１０２  第２基板